(57)【要約】  本発明は、α、β−不飽和カルボニル化合物を選択的に不斉水素化することにより、光学活性カルボニル化合物である光学活性アルデヒド又は光学活性ケトンを製造する触媒、特に、シトラール、ゲラニアール又はネラールを選択的に不斉水素化することにより、香料として有用な光学活性シトロネラールを得るための、反応混合物に可溶性でない触媒、及び対応する光学活性カルボニル化合物の製造方法の提供を目的とする。特にシトラールの不斉水素化において、ネラールとゲラニアールの混合比率に全く依存せずに、同一の光学異性体のシトロネロールを得るための製造方法の提供を目的とする。本発明は、周期表における第８〜１０族の遷移金属より選ばれる少なくとも一種の遷移金属の錯体と光学活性環状含窒素化合物とを含み、必要に応じてさらに酸を含む触媒を用いて、α、β−不飽和カルボニル化合物を不斉水素化する。【特許請求の範囲】
【請求項１】
周期表における第８〜１０族の遷移金属より選ばれる少なくとも一種の遷移金属の錯体と光学活性環状含窒素化合物とを含む均一系不斉水素化触媒。
【請求項２】
周期表における第８〜１０族の遷移金属より選ばれる少なくとも一種の遷移金属に光学活性環状含窒素化合物が配位してなる請求項１に記載の均一系不斉水素化触媒。
【請求項３】
周期表における第８〜１０族の遷移金属より選ばれる少なくとも一種の遷移金属の錯体と光学活性環状含窒素化合物と酸とを含む均一系不斉水素化触媒。
【請求項４】
光学活性環状含窒素化合物が、一般式（１）
【化１】
2011108672.tif 000050
（式（１）中、環Ａは３〜７員環で、置換基を有していてもよく、炭素、窒素、硫黄、酸素、及び燐からなる群より選ばれる少なくとも一種の原子を含む。
Ｒ１及びＲ２は、それぞれ独立して、水素原子、置換基を有してもよいアルキル基、置換基を有していてもよいシクロアルキル基、置換基を有してもよいアルケニル基、置換基を有してもよいアリール基、置換基を有していてもよいアラルキル基、置換基を有していてもよいアルコキシ基、置換基を有していてもよいカルボキシル基、置換基を有していてもよいアルコキシカルボニル基、置換基を有していてもよいアミド基、置換基を有してもよいカルバモイル基、又は置換基を有していてもよいシロキシ基を表す。ただしＲ１とＲ２は同じ置換基になることはない。また、Ｒ１又はＲ２の一方が環Ａと結合しさらに環を形成していてもよい。＊は不斉炭素原子を表す。）
で表される化合物である請求項１〜３のいずれか一項に記載の均一系不斉水素化触媒。
【請求項５】
遷移金属錯体が、ニッケル、ルテニウム、ロジウム、イリジウム、パラジウム及び白金から選ばれる何れかの遷移金属錯体である請求項１〜４のいずれか一項に記載の均一系不斉水素化触媒。
【請求項６】
α，β−不飽和カルボニル化合物を、請求項１〜５のいずれか一項に記載の均一系不斉水素化触媒の存在下、水素または水素を供与する化合物と反応させて光学活性カルボニル化合物を製造する光学活性カルボニル化合物の製造方法。
【請求項７】
α，β−不飽和カルボニル化合物が、一般式（２）
【化２】
2011108672.tif 000051
（式中、Ｒ３、Ｒ４、Ｒ５及びＲ６は、それぞれ独立して、水素原子、置換基を有してもよいアルキル基、置換基を有していてもよいシクロアルキル基、置換基を有してもよいアルケニル基、置換基を有してもよいアリール基、又は置換基を有していてもよいアラルキル基を表す。また、Ｒ５とＲ６とで環を形成してもよい。ただし、Ｒ４が水素原子でないときはＲ５及びＲ６は互いに同じでもよく、Ｒ４が水素原子のときはＲ５及びＲ６は水素原子以外であり互いに異なる。）
で表わされるα，β−不飽和カルボニル化合物であり、生成する光学活性カルボニル化合物が、一般式（３）
【化３】
2011108672.tif 000052
（式（３）中、Ｒ３、Ｒ４、Ｒ５及びＲ６は、式（２）の定義と同じである。２つの＊は、一方又は両方が不斉炭素原子を表す。）
で表される光学活性カルボニル化合物である請求項６に記載の製造方法。
【請求項８】
α、β−不飽和カルボニル化合物が、ゲラニアール、ネラール又はシトラールである請求項７に記載の製造方法。
【請求項９】
α、β−不飽和カルボニル化合物が、５〜１６員環の環状ケトン類である請求項７に記載の製造方法。
【請求項１０】
α、β−不飽和カルボニル化合物を、周期表における第８〜１０族の遷移金属より選ばれる少なくとも一種の遷移金属の錯体と光学活性環状含窒素化合物の存在下に水素または水素を供与する化合物と反応させて光学活性カルボニル化合物を製造する光学活性カルボニル化合物の製造方法。
【請求項１１】
α、β−不飽和カルボニル化合物を、周期表における第８〜１０族の遷移金属より選ばれる少なくとも一種の遷移金属の錯体と光学活性環状含窒素化合物および酸の存在下に水素または水素を供与する化合物と反応させて光学活性カルボニル化合物を製造する光学活性カルボニル化合物の製造方法。
【請求項１２】
光学活性環状含窒素化合物が、一般式（１）
【化４】
2011108672.tif 000053
（式（１）中、環Ａは３〜７員環で、置換基を有していてもよく、炭素、窒素、硫黄、酸素、及び燐からなる群より選ばれる少なくとも一種の原子を含む。
Ｒ１及びＲ２は、それぞれ独立して、水素原子、置換基を有してもよいアルキル基、置換基を有していてもよいシクロアルキル基、置換基を有してもよいアルケニル基、置換基を有してもよいアリール基、置換基を有していてもよいアラルキル基、置換基を有していてもよいアルコキシ基、置換基を有していてもよいカルボキシル基、置換基を有していてもよいアルコキシカルボニル基、置換基を有していてもよいアミド基、置換基を有してもよいカルバモイル基、又は置換基を有していてもよいシロキシ基を表す。ただしＲ１とＲ２は同じ置換基になることはない。また、Ｒ１又はＲ２の一方が環Ａと結合しさらに環を形成していてもよい。＊は不斉炭素原子を表す。）
で表される化合物である請求項１０又は１１に記載の方法。
【請求項１３】
光学活性環状含窒素化合物が、一般式（１）
【化５】
2011108672.tif 000054
（式（１）中、環Ａは３〜７員環で、置換基を有していてもよく、炭素、窒素、硫黄、酸素、及び燐からなる群より選ばれる少なくとも一種の原子を含む。
Ｒ１及びＲ２は、それぞれ独立して、水素原子、置換基を有してもよいアルキル基、置換基を有していてもよいシクロアルキル基、置換基を有してもよいアルケニル基、置換基を有してもよいアリール基、置換基を有していてもよいアラルキル基、置換基を有していてもよいアルコキシ基、置換基を有していてもよいカルボキシル基、置換基を有していてもよいアルコキシカルボニル基、置換基を有していてもよいアミド基、置換基を有してもよいカルバモイル基、又は置換基を有していてもよいシロキシ基を表す。ただしＲ１とＲ２は同じ置換基になることはない。また、Ｒ１又はＲ２の一方が環Ａと結合しさらに環を形成していてもよい。＊は不斉炭素原子を表す。）
で表される化合物である請求項１０〜１２のいずれか一項に記載の製造方法。
【請求項１４】
遷移金属錯体が、ニッケル、ルテニウム、ロジウム、イリジウム、パラジウム及び白金から選ばれる何れかの遷移金属錯体である請求項１０〜１３のいずれか一項に記載の製造方法。
【請求項１５】
α，β−不飽和カルボニル化合物が、一般式（２）
【化６】
2011108672.tif 000055
（式中、Ｒ３、Ｒ４、Ｒ５及びＲ６は、それぞれ独立して、水素原子、置換基を有してもよいアルキル基、置換基を有していてもよいシクロアルキル基、置換基を有してもよいアルケニル基、置換基を有してもよいアリール基、又は置換基を有していてもよいアラルキル基を表す。また、Ｒ５とＲ６とで環を形成してもよい。ただし、Ｒ４が水素原子でないときはＲ５及びＲ６は互いに同じでもよく、Ｒ４が水素原子のときはＲ５及びＲ６は水素原子以外であり互いに異なる。）
で表わされるα，β−不飽和カルボニル化合物であり、生成する光学活性カルボニル化合物が、一般式（３）
【化７】
2011108672.tif 000056
（式（３）中、Ｒ３、Ｒ４、Ｒ５及びＲ６は、式（２）の定義と同じである。２つの＊は、一方又は両方が不斉炭素原子を表す。）
で表される光学活性カルボニル化合物である請求項１０〜１４のいずれか一項に記載の製造方法。
【請求項１６】
α、β−不飽和カルボニル化合物が、ゲラニアール、ネラール又はシトラールである請求項１５に記載の製造方法。
【請求項１７】
α、β−不飽和カルボニル化合物が、５〜１６員環の環状ケトン類である請求項１５に記載の製造方法。
【発明の詳細な説明】
【技術分野】
【０００１】
本発明は、均一系不斉水素化用触媒を用い、α、β−不飽和カルボニル化合物の炭素−炭素二重結合を選択的に不斉水素化することにより、光学活性カルボニル化合物である光学活性アルデヒド又は光学活性ケトンを製造する方法に関するものである。
【背景技術】
【０００２】
従来から、α、β−不飽和アルデヒドの炭素−炭素二重結合を水素ガスで不斉水素化する試みは行なわれており、特に香料として重要な光学活性シトロネラールを得るためにネラール、ゲラニアールを不斉水素化する方法は知られている（特許文献１、２）。これらの方法は、少量の均一系触媒を用い水素ガスにより炭素−炭素二重結合を水素化する方法であることから、助剤を必要としないため大量の廃棄物がでない。【０００３】
また、均一系触媒を用いたα、β−不飽和ケトンの炭素炭素二重結合の不斉水素化が報告されている（特許文献３、非特許文献１）。
一方、有機不斉触媒とＨａｎｔｚｓｃｈエステルを用いたα、β−不飽和化合物の水素移動型不斉水素化反応が報告されている（特許文献４、非特許文献２）。
【先行技術文献】
【特許文献】
【０００４】
【特許文献１】日本国特公昭６１−２３７７５号公報
【特許文献２】日本国特表２００８−５１５８４３号公報
【特許文献３】日本国特表平９−５０２４５９号公報
【特許文献４】米国特許出願公開第２００６／０１６１０２４号明細書
【非特許文献】
【０００５】
【非特許文献１】Ｊ．Ｏｒｇ．Ｃｈｅｍ．１９９５，６０，Ｐ３５７．
【非特許文献２】Ａｃｃ．Ｃｈｅｍ．Ｒｅｓ．２００７，４０，１３２７−１３３９
【発明の概要】
【発明が解決しようとする課題】
【０００６】
しかしながら、特許文献１及び２の方法で使用する触媒は高価な光学活性の配位子を含む高価なロジウム金属等を用いた均一系水素化触媒として知られている。こられの均一系水素化触媒を用いて、シトラール（ゲラニアールとネラールとの混合物）の不斉水素化の場合、ネラールとゲラニアールからは、それぞれ別の光学異性体が得られるため、ネラールとゲラニアールとを別けて反応を行う必要がある。
さらに、非特許文献１及び特許文献３の有機触媒を用いる方法では、原料の不飽和アルデヒド又は不飽和ケトンに対して２０ｍｏｌ％程度の触媒量が必要であることと、水素化の基質であるＨａｎｔｚｓｃｈエステルは原料の不飽和アルデヒド又はケトンに対して等量以上必要であることから、光学活性アルデヒド又は光学活性ケトンの製造方法としては経済的に不利である。【０００７】
本発明の目的は、有機触媒と安価な遷移金属錯体を不斉水素化触媒として用い、α、β−不飽和カルボニル化合物の炭素−炭素二重結合を不斉水素化し対応する光学活性アルデヒド又は光学活性ケトンを得る方法に関する。特にシトラール、ゲラニアール、又はネラールを不斉水素化反応により水素化して、光学活性なシトロネラールを得る方法に関する。
【課題を解決するための手段】
【０００８】
本発明者等は上記課題を解決するために鋭意検討を行った結果、特定の遷移金属錯体、光学活性環状含窒素化合物または、特定の遷移金属錯体、光学活性環状含窒素化合物、及び酸を用いることにより、α、β−不飽和カルボニル化合物を不斉水素化し、対応する光学活性アルデヒド又は光学活性ケトンが得られることを見いだし、本発明を完成するに到った。
特に、本発明の触媒系を用いることにより、単一の触媒から、例えば、Ｚ配置、Ｅ配置の関係にあるネラールとゲラニアール、またはネラールとゲラニアールの混合物であるシトラールのいずれからでも、同一の光学異性体が得られることを見出した。
本発明の触媒は、シトラールの不斉水素化において、ネラールとゲラニアールの混合比率に全く依存せずに、同一の光学異性体を製造できることにおいて、全く新しい概念を提供している。【０００９】
すなわち本発明は以下の各発明を包含する。
＜１＞  周期表における第８〜１０族の遷移金属より選ばれる少なくとも一種の遷移金属の錯体と光学活性環状含窒素化合物とを含む均一系不斉水素化触媒。
＜２＞  周期表における第８〜１０族の遷移金属より選ばれる少なくとも一種の遷移金属に光学活性環状含窒素化合物が配位してなる＜１＞に記載の均一系不斉水素化触媒。
＜３＞  周期表における第８〜１０族の遷移金属より選ばれる少なくとも一種の遷移金属の錯体と光学活性環状含窒素化合物と酸とを含む均一系不斉水素化触媒。
＜４＞  光学活性環状含窒素化合物が、一般式（１）【００１０】
【化１】
2011108672.tif 000002
【００１１】
（式（１）中、環Ａは３〜７員環で、置換基を有していてもよく、炭素、窒素、硫黄、酸素、及び燐からなる群より選ばれる少なくとも一種の原子を含む。
Ｒ１及びＲ２は、それぞれ独立して、水素原子、置換基を有してもよいアルキル基、置換基を有していてもよいシクロアルキル基、置換基を有してもよいアルケニル基、置換基を有してもよいアリール基、置換基を有していてもよいアラルキル基、置換基を有していてもよいアルコキシ基、置換基を有していてもよいカルボキシル基、置換基を有していてもよいアルコキシカルボニル基、置換基を有していてもよいアミド基、置換基を有してもよいカルバモイル基、又は置換基を有していてもよいシロキシ基を表す。ただしＲ１とＲ２は同じ置換基になることはない。また、Ｒ１又はＲ２の一方が環Ａと結合しさらに環を形成していてもよい。＊は不斉炭素原子を表す。）
で表される化合物である＜１＞〜＜３＞のいずれか一に記載の均一系不斉水素化触媒。
＜５＞  遷移金属錯体が、ニッケル、ルテニウム、ロジウム、イリジウム、パラジウム及び白金から選ばれる何れかの遷移金属錯体である＜１＞〜＜４＞のいずれか一に記載の均一系不斉水素化触媒。
＜６＞  α，β−不飽和カルボニル化合物を、＜１＞〜＜５＞のいずれか一に記載の均一系不斉水素化触媒の存在下、水素または水素を供与する化合物と反応させて光学活性カルボニル化合物を製造する光学活性カルボニル化合物の製造方法。
＜７＞  α，β−不飽和カルボニル化合物が、一般式（２）【００１２】
【化２】
2011108672.tif 000003
【００１３】
（式中、Ｒ３、Ｒ４、Ｒ５及びＲ６は、それぞれ独立して、水素原子、置換基を有してもよいアルキル基、置換基を有していてもよいシクロアルキル基、置換基を有してもよいアルケニル基、置換基を有してもよいアリール基、又は置換基を有していてもよいアラルキル基を表す。また、Ｒ５とＲ６とで環を形成してもよい。ただし、Ｒ４が水素原子でないときはＲ５及びＲ６は互いに同じでもよく、Ｒ４が水素原子のときはＲ５及びＲ６は水素原子以外であり互いに異なる。）
で表わされるα，β−不飽和カルボニル化合物であり、生成する光学活性カルボニル化合物が、一般式（３）【００１４】
【化３】
2011108672.tif 000004
【００１５】
（式（３）中、Ｒ３、Ｒ４、Ｒ５及びＲ６は、式（２）の定義と同じである。２つの＊は、一方又は両方が不斉炭素原子を表す。）
で表される光学活性カルボニル化合物である＜６＞に記載の製造方法。
＜８＞  α、β−不飽和カルボニル化合物が、ゲラニアール、ネラール又はシトラールである＜７＞に記載の製造方法。
＜９＞  α、β−不飽和カルボニル化合物が、５〜１６員環の環状ケトン類である＜７＞に記載の製造方法。
＜１０＞  α、β−不飽和カルボニル化合物を、周期表における第８〜１０族の遷移金属より選ばれる少なくとも一種の遷移金属の錯体と光学活性環状含窒素化合物の存在下に水素または水素を供与する化合物と反応させて光学活性カルボニル化合物を製造する光学活性カルボニル化合物の製造方法。
＜１１＞  α、β−不飽和カルボニル化合物を、周期表における第８〜１０族の遷移金属より選ばれる少なくとも一種の遷移金属の錯体と光学活性環状含窒素化合物および酸の存在下に水素または水素を供与する化合物と反応させて光学活性カルボニル化合物を製造する光学活性カルボニル化合物の製造方法。
＜１２＞  光学活性環状含窒素化合物が、一般式（１）【００１６】
【化４】
2011108672.tif 000005
【００１７】
（式（１）中、環Ａは３〜７員環で、置換基を有していてもよく、炭素、窒素、硫黄、酸素、及び燐からなる群より選ばれる少なくとも一種の原子を含む。
Ｒ１及びＲ２は、それぞれ独立して、水素原子、置換基を有してもよいアルキル基、置換基を有していてもよいシクロアルキル基、置換基を有してもよいアルケニル基、置換基を有してもよいアリール基、置換基を有していてもよいアラルキル基、置換基を有していてもよいアルコキシ基、置換基を有していてもよいカルボキシル基、置換基を有していてもよいアルコキシカルボニル基、置換基を有していてもよいアミド基、置換基を有してもよいカルバモイル基、又は置換基を有していてもよいシロキシ基を表す。ただしＲ１とＲ２は同じ置換基になることはない。また、Ｒ１又はＲ２の一方が環Ａと結合しさらに環を形成していてもよい。＊は不斉炭素原子を表す。）
で表される化合物である＜１０＞又は＜１１＞に記載の方法。
＜１３＞  光学活性環状含窒素化合物が、一般式（１）【００１８】
【化５】
2011108672.tif 000006
【００１９】
（式（１）中、環Ａは３〜７員環で、置換基を有していてもよく、炭素、窒素、硫黄、酸素、及び燐からなる群より選ばれる少なくとも一種の原子を含む。
Ｒ１及びＲ２は、それぞれ独立して、水素原子、置換基を有してもよいアルキル基、置換基を有していてもよいシクロアルキル基、置換基を有してもよいアルケニル基、置換基を有してもよいアリール基、置換基を有していてもよいアラルキル基、置換基を有していてもよいアルコキシ基、置換基を有していてもよいカルボキシル基、置換基を有していてもよいアルコキシカルボニル基、置換基を有していてもよいアミド基、置換基を有してもよいカルバモイル基、又は置換基を有していてもよいシロキシ基を表す。ただしＲ１とＲ２は同じ置換基になることはない。また、Ｒ１又はＲ２の一方が環Ａと結合しさらに環を形成していてもよい。＊は不斉炭素原子を表す。）
で表される化合物である＜１０＞〜＜１２＞のいずれか一に記載の製造方法。
＜１４＞  遷移金属錯体が、ニッケル、ルテニウム、ロジウム、イリジウム、パラジウム及び白金から選ばれる何れかの遷移金属錯体である＜１０＞〜＜１３＞のいずれか一に記載の製造方法。
＜１５＞  α，β−不飽和カルボニル化合物が、一般式（２）【００２０】
【化６】
2011108672.tif 000007
【００２１】
（式中、Ｒ３、Ｒ４、Ｒ５及びＲ６は、それぞれ独立して、水素原子、置換基を有してもよいアルキル基、置換基を有していてもよいシクロアルキル基、置換基を有してもよいアルケニル基、置換基を有してもよいアリール基、又は置換基を有していてもよいアラルキル基を表す。また、Ｒ５とＲ６とで環を形成してもよい。ただし、Ｒ４が水素原子でないときはＲ５及びＲ６は互いに同じでもよく、Ｒ４が水素原子のときはＲ５及びＲ６は水素原子以外であり互いに異なる。）
で表わされるα，β−不飽和カルボニル化合物であり、生成する光学活性カルボニル化合物が、一般式（３）【００２２】
【化７】
2011108672.tif 000008
【００２３】
（式（３）中、Ｒ３、Ｒ４、Ｒ５及びＲ６は、式（２）の定義と同じである。２つの＊は、一方又は両方が不斉炭素原子を表す。）
で表される光学活性カルボニル化合物である＜１０＞〜＜１４＞のいずれか一に記載の製造方法。
＜１６＞  α、β−不飽和カルボニル化合物が、ゲラニアール、ネラール又はシトラールである＜１５＞に記載の製造方法。
＜１７＞  α、β−不飽和カルボニル化合物が、５〜１６員環の環状ケトン類である＜１５＞に記載の製造方法。
【発明の効果】
【００２４】
本発明は上記のように、不斉水素化反応における触媒として、遷移金属錯体と共に、エナンチオ選択性に寄与する添加物として光学活性環状含窒素化合物、または、遷移金属錯体と共に、エナンチオ選択性に寄与する添加物として光学活性環状含窒素化合物、及び酸を用いるものである。
本発明の不斉水素化触媒は、従来の不斉水素化触媒のように予め触媒を調製して反応を行ってもよいが、予め触媒を調製するための反応工程をしなくてもよい。すなわち、本発明の不斉水素化反応においては、単に、原料化合物、光学活性環状含窒素化合物及び遷移金属錯体を混合し、更に必要に応じて酸を加えるだけで、不斉水素化することができるものでもある。このように操作も簡便であり、また、遷移金属錯体及び光学活性環状含窒素化合物は回収して再使用することも可能であり、工業的にも有利である。【００２５】
また、本発明の触媒を使用する際に、α、β−不飽和カルボニル化合物のα位とβ位の二重結合においてＺ配置及びＥ配置の化合物のいずれを基質として使用した場合においても、生成する光学活性カルボニル化合物の立体配置は、基質の立体配座ではなく使用する光学活性環状含窒素化合物の立体配置に依存する。そのため、本発明では、Ｚ配置化合物とＥ配置化合物との混合物を基質として使用した場合においても、同じ立体配置の光学活性カルボニル化合物を製造することができる。
【図面の簡単な説明】
【００２６】
【図１】実施例２−１の錯体（酢酸パラジウム＋（Ｒ）−（＋）−２−（Ｄｉｐｈｅｎｙｌｍｅｔｈｙｌ）ｐｙｒｒｏｒｉｄｉｎｅ）のＨ１−ＮＭＲチャートである。
【図２】図１のＨ１−ＮＭＲチャートの低磁場部分を拡大した図である。
【図３】実施例２−２の錯体（酢酸パラジウム＋（Ｒ）−（＋）−２−（Ｄｉｐｈｅｎｙｌｍｅｔｈｙｌ）ｐｙｒｒｏｒｉｄｉｎｅ＋トリフルオロ酢酸）のＨ１−ＮＭＲチャートである。
【図４】図３のＨ１−ＮＭＲチャートの低磁場部分を拡大した図である。
【図５】（Ｒ）−（＋）−２−（Ｄｉｐｈｅｎｙｌｍｅｔｈｙｌ）ｐｙｒｒｏｒｉｄｉｎｅのＨ１−ＮＭＲチャートである。
【図６】図５のＨ１−ＮＭＲチャートの低磁場部分を拡大した図である。
【図７】（Ｒ）−（＋）−２−（Ｄｉｐｈｅｎｙｌｍｅｔｈｙｌ）ｐｙｒｒｏｒｉｄｉｎｅ＋トリフルオロ酢酸のＨ１−ＮＭＲチャートである。
【図８】図７のＨ１−ＮＭＲチャートの低磁場部分を拡大した図である。
【発明を実施するための形態】
【００２７】
以下、本発明について詳細に説明する。
【００２８】
本発明においては、α、β−不飽和カルボニル化合物を基質として用い、これを本発明の触媒を使用して不斉水素化し、光学活性カルボニル化合物である光学活性アルデヒド又は光学活性ケトンを製造する。
【００２９】
＜基質＞
基質として用いられるα、β−不飽和カルボニル化合物としては、特に限定されないが、例えば下記一般式（２）で示される化合物が挙げられる。なお、α、β−不飽和カルボニル化合物のα位とβ位の二重結合において、Ｚ配置及びＥ配置があるものは、それらの何れも含むものである。
【００３０】
下記一般式（２）
【００３１】
【化８】
2011108672.tif 000009
【００３２】
式中、Ｒ３、Ｒ４、Ｒ５及びＲ６は、それぞれ独立して、水素原子、置換基を有してもよいアルキル基、置換基を有していてもよいシクロアルキル基、置換基を有してもよいアルケニル基、置換基を有してもよいアリール基、または置換基を有していてもよいアラルキル基を表す。また、Ｒ５とＲ６とで環を形成してもよい。ただし、Ｒ４が水素原子でないときはＲ５及びＲ６は互いに同じでもよく、Ｒ４が水素原子のときはＲ５及びＲ６は水素原子以外であり互いに異なる。すなわち、Ｒ４、Ｒ５、及びＲ６の全てが水素原子になることはない。
【００３３】
前記式（２）で示される化合物を本発明の触媒を使用して不斉水素化することにより、下記式（３）で示される光学活性カルボニル化合物である光学活性アルデヒド又は光学活性ケトンが製造される。
【００３４】
【化９】
2011108672.tif 000010
【００３５】
式中、Ｒ３、Ｒ４、Ｒ５及びＲ６は、式（２）の定義と同じである。２つの＊は、一方又は両方が不斉炭素原子を表す。
【００３６】
一般式（２）で示されるα、β−不飽和カルボニル化合物及び一般式（３）で表される光学活性カルボニル化合物において、Ｒ３、Ｒ４、Ｒ５、及びＲ６で表される基である、アルキル基、シクロアルキル基、アルケニル基、アリール基、アラルキル基、アルコキシカルボニル基、カルボニルオキシ基、ニトリル基及びパーハロゲノアルキル基について説明する。これらの基はいずれも置換基を有していてもよい。
【００３７】
アルキル基としては、鎖状又は分岐状の例えば炭素数１〜３０、好ましくは炭素数１〜１０のアルキル基が挙げられ、具体的にはメチル基、エチル基、ｎ−プロピル基、イソプロピル基、ｎ−ブチル基、２−ブチル基、イソブチル基、ｔｅｒｔ−ブチル基、ｎ−ペンチル基、２−ペンチル基、３−ペンチル基、ｔｅｒｔ−ペンチル基、２−メチルブチル基、３−メチルブチル基、２，２−ジメチルプロピル基、１，２−ジメチルプロピル基、ｎ−ヘキシル基、２−ヘキシル基、３−ヘキシル基、２−メチルペンチル基、３−メチルペンチル基、４−メチルペンチル基、１，１−ジメチルブチル基、１，２−ジメチルブチル基、１，３−ジメチルブチル基、２，２−ジメチルブチル基、２，３−ジメチルブチル基、３，３−ジメチルブチル基、２−エチルブチル基、１，１，２−トリメチルプロピル基、１，２，２−トリメチルプロピル基、１−エチル−１−メチルプロピル基、１−エチル−２−メチルプロピル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基及びドコシル基等が挙げられる。
【００３８】
また、これらアルキル基は置換基を有していてもよく、該アルキル基の置換基としては、例えばアルケニル基、アルキニル基、アリール基、脂肪族複素環基、芳香族複素環基、アルコキシ基、アルキレンジオキシ基、アリールオキシ基、アラルキルオキシ基、ヘテロアリールオキシ基、置換アミノ基、ニトロ基、ニトリル基、パーハロゲノアルキル基及びハロゲン原子等が挙げられる。
【００３９】
アルキル基の置換基としてのアルケニル基としては、直鎖状でも分岐状でもよい、例えば炭素数２〜２０、好ましくは炭素数２〜１０、より好ましくは炭素数２〜６のアルケニル基が挙げられ、具体的にはビニル基、プロペニル基、１−ブテニル基、ペンテニル基及びヘキセニル基等が挙げられる。
【００４０】
アルキル基の置換基としてのアルキニル基としては、直鎖状でも分岐状でもよい、例えば炭素数２〜１５、好ましくは炭素数２〜１０、より好ましくは炭素数２〜６のアルキニル基が挙げられ、具体的にはエチニル基、１−プロピニル基、２−プロピニル基、１−ブチニル基、３−ブチニル基、ペンチニル基及びヘキシニル基等が挙げられる。
【００４１】
アルキル基の置換基としてのアリール基としては、例えば炭素数６〜１４のアリール基が挙げられ、具体的にはフェニル基、ナフチル基、アンスリル基、フェナンスリル基、ビフェニル基、トリル基、キシリル基、メシチル基、メトキシフェニル基、ジメトキシフェニル基及びフルオロフェニル基等が挙げられる。
【００４２】
アルキル基の置換基としての脂肪族複素環基としては、例えば炭素数２〜１４であって、異種原子として少なくとも１個、好ましくは１〜３個の例えば窒素原子、酸素原子、硫黄原子等のヘテロ原子を含んでいる基があげられる。好ましくは、５又は６員の単環の脂肪族複素環基、及び多環又は縮合環の脂肪族複素環基が挙げられる。脂肪族複素環基の具体例としては、例えば、２−オキソ−１−ピロリジニル基、ピペリジノ基、ピペラジニル基、モルホリノ基、テトラヒドロフリル基、テトラヒドロピラニル基及びテトラヒドロチエニル基等が挙げられる。
【００４３】
アルキル基の置換基としての芳香族複素環基としては、例えば炭素数２〜１５であって、異種原子として少なくとも１個、好ましくは１〜３個の窒素原子、酸素原子、硫黄原子等の異種原子を含んでいる基があげられる。好ましくは、５又は６員の単環の芳香族複素環基、及び多環又は縮合環の芳香族複素環基が挙げられる。芳香族複素環基の具体例としては、例えば、フリル基、チエニル基、ピリジル基、ピリミジニル基、ピラジニル基、ピリダジニル基、ピラゾリニル基、イミダゾリル基、オキサゾリニル基、チアゾリニル基、ベンゾフリル基、ベンゾチエニル基、キノリル基、イソキノリル基、キノキサリニル基、フタラジニル基、キナゾリニル基、ナフチリジニル基、シンノリニル基、ベンゾイミダゾリル基、ベンゾオキサゾリル基及びベンゾチアゾリル基等が挙げられる。
【００４４】
アルキル基の置換基としてのアルコキシ基としては、直鎖状又は分岐状の、例えば炭素数１〜６のアルコキシ基が挙げられ、具体的にはメトキシ基、エトキシ基、ｎ−プロポキシ基、イソプロポキシ基、ｎ−ブトキシ基、２−ブトキシ基、イソブトキシ基、ｔｅｒｔ−ブトキシ基、ｎ−ペンチロキシ基、２−メチルブトキシ基、３−メチルブトキシ基、２，２−ジメチルプロポキシ基、ｎ−ヘキシロキシ基、２−メチルペンチロキシ基、３−メチルペンチロキシ基、４−メチルペンチロキシ基及び５−メチルペンチロキシ基等が挙げられる。
【００４５】
アルキル基の置換基としてのアルキレンジオキシ基としては、例えば炭素数１〜３のアルキレンジオキシ基が挙げられ、具体的にはメチレンジオキシ基、エチレンジオキシ基、プロピレンジオキシ基及びイソプロピリデンジオキシ基等が挙げられる。
【００４６】
アルキル基の置換基としてのアリールオキシ基としては、例えば炭素数６〜１４のアリールオキシ基が挙げられ、具体的にはフェノキシ基、ナフチロキシ基及びアンスリロキシ基等が挙げられる。
【００４７】
アルキル基の置換基としてのアラルキルオキシ基としては、例えば炭素数７〜１２のアラルキルオキシ基が挙げられ、具体的にはベンジルオキシ基、２−フェニルエトキシ基、１−フェニルプロポキシ基、２−フェニルプロポキシ基、３−フェニルプロポキシ基、１−フェニルブトキシ基、２−フェニルブトキシ基、３−フェニルブトキシ基、４−フェニルブトキシ基、１−フェニルペンチロキシ基、２−フェニルペンチロキシ基、３−フェニルペンチロキシ基、４−フェニルペンチロキシ基、５−フェニルペンチロキシ基、１−フェニルヘキシロキシ基、２−フェニルヘキシロキシ基、３−フェニルヘキシロキシ基、４−フェニルヘキシロキシ基、５−フェニルヘキシロキシ基及び６−フェニルヘキシロキシ基等が挙げられる。
【００４８】
アルキル基の置換基としてのヘテロアリールオキシ基としては、例えば、異種原子として少なくとも１個、好ましくは１〜３個の窒素原子、酸素原子、硫黄原子等の異種原子を含んでいる、炭素数２〜１４のヘテロアリールオキシ基が挙げられ、具体的には、２−ピリジルオキシ基、２−ピラジルオキシ基、２−ピリミジルオキシ基及び２−キノリルオキシ基等が挙げられる。
【００４９】
アルキル基の置換基としての置換アミノ基としては、例えば、Ｎ−メチルアミノ基、Ｎ，Ｎ−ジメチルアミノ基、Ｎ，Ｎ−ジエチルアミノ基、Ｎ，Ｎ−ジイソプロピルアミノ基、Ｎ−シクロヘキシルアミノ基等のモノ又はジアルキルアミノ基；Ｎ−フェニルアミノ基、Ｎ，Ｎ−ジフェニルアミノ基、Ｎ−ナフチルアミノ基、Ｎ−ナフチル−Ｎ−フェニルアミノ基等のモノ又はジアリールアミノ基；Ｎ−ベンジルアミノ基、Ｎ，Ｎ−ジベンジルアミノ基等のモノ又はジアラルキルアミノ基等が挙げられる。
【００５０】
アルキル基に置換するパーハロゲノアルキル基としては、例えば、トリフロロメチル基、ペンタフロロエチル基、ヘプタフロロプロピル基、ノナフロロブチル基、トリクロロメチル基、ペンタクロロエチル基等が挙げられる。
【００５１】
アルキル基に置換するハロゲン原子としては、例えばフッ素原子、塩素原子、臭素原子及びヨウ素原子等が挙げられる。
【００５２】
シクロアルキル基としては、例えばシクロプロピル基、シクロブチル基、シクロペンチル基及びシクロヘキシル基等が挙げられる。
これらシクロアルキル基は置換基を有していてもよく、該置換基としては、前記のアルキル基の置換基の説明で述べたような置換基が挙げられる。
【００５３】
アルケニル基としては、鎖状又分岐状あるいは環状の、例えば炭素数２〜２０、好ましくは炭素数２〜１０のアルケニル基が挙げられる。具体的なアルケニル基としては、例えばビニル基、１−プロペニル基、２−プロペニル基、１−ブテニル基、２−ブテニル基、３−ブテニル基、１−ペンテニル基、２−ペンテニル基、３−ペンテニル基、４−ペンテニル基、１−シクロペンテニル基、３−シクロペンテニル基、１−ヘキセニル基、２−ヘキセニル基、３−ヘキセニル基、４−ヘキセニル基、５−ヘキセニル基、４−メチル−３−ペンテニル基、４，８−ジメチル−３，７−ノナジエニル基、１−シクロヘキセニル基及び３−シクロヘキセニル基等が挙げられる。
これらアルケニル基は置換基を有していてもよく、該置換基としては、前記のアルキル基の置換基の説明で述べたような基が挙げられる。
【００５４】
アリール基としては、例えば炭素数６〜１４のアリール基が挙げられ、具体的にはフェニル基、ナフチル基、アントリル基、フェナンスリル基、ビフェニル基等が挙げられる。  これらアリール基は置換基を有していてもよく、該置換基としてはアルキル基の置換基の説明で述べたような基が挙げられる。
【００５５】
アラルキル基としては、例えば炭素数７〜１２のアラルキル基が好ましく、具体的にはベンジル基、２−フェニルエチル基、１−フェニルプロピル基、３−ナフチルプロピル基等が挙げられる。
これらアラルキル基は置換基を有していてもよく、該置換基としてはアルキル基の説明で述べたような基が挙げられる。
アルコキシカルボニル基としては、炭素数２〜１５のアルコキシカルボニル基が好ましく、例えば、メトキシカルボニル基、エトキシカルボニル基、プロポキシカルボニル基、ブトキシカルボニル基、イソプロポキシカルボニル基、フェノキシカルボニル基、ナフトキシカルボニル基、ベンジルオキシカルボニル基等が挙げられる。
これらアルコキシカルボニル基は置換基を有していてもよく、該置換基としてはアルキル基の説明で述べたような基が挙げられる。
アシルオキシ基としては、炭素数２〜１５のアラルキル基が好ましく，例えば、アセチルオキシ基、プロパノイルオキシ基、ブタノイルオキシ基、オクタノイルオキシ基、ベンゾイルオキシ基、トルオイルオキシ基、キシロイルオキシ基、ナフトイルオキシ基、フェナンスロイルオキシ基、アントラノイルオキシ基等が挙げられる。
これらアシルオキシ基は置換基を有していてもよく、該置換基としてはアルキル基の説明で述べたような基が挙げられる。
【００５６】
一般式（２）で表されるα、β−不飽和カルボニル化合物及び一般式（３）で表される光学活性カルボニル化合物において、Ｒ３とＲ４、Ｒ３とＲ５、Ｒ３とＲ６、Ｒ４とＲ６、又はＲ５とＲ６とで形成する環としては、例えば、シクロペンタン環、シクロヘキサン環、インダン環、テトラリン環、シクロペンテン環、シクロヘキセン環、シクロヘプテン環、インデン環、ジヒドロナフタレン環、オクタヒドロナフタレン環、デカヒドロナフタレン環等が挙げられる。これらの環は、前述したようなアルキル基、以下で説明するアシル基等で置換されていてもよい。
【００５７】
アシル基としては、例えば、アセチル基、プロパノイル基、ブタノイル基、オクタノイル基、ベンゾイル基、トルオイル基、キシロイル基、ナフトイル基、フェナンスロイル基、アントラノイル基等が挙げられる。
【００５８】
本発明において基質として用いられるα、β−不飽和アルデヒドの具体例としては、例えば以下のような化合物が挙げられる。なお、α、β−不飽和アルデヒドのα位とβ位の二重結合において、Ｚ配置及びＥ配置があるものは、それらの何れも含むものである。以下化合物中の波線は、Ｚ配置及びＥ配置、又はそれらの混合物を表す。
【００５９】
以下、化合物中、Ｍｅはメチル基、Ｐｈはフェニル基、Ｂｎはベンジル基を表す。
【００６０】
【化１０】
2011108672.tif 000011
【００６１】
【化１１】
2011108672.tif 000012
【００６２】
前記したようなα、β−不飽和アルデヒドの中でも、ゲラニアール（下記Ａ）、ネラール（下記Ｂ）及びシトラールが特に好ましいものとして挙げられる。
【００６３】
【化１２】
2011108672.tif 000013
【００６４】
本発明において基質として用いられるα、β−不飽和ケトンは、５〜１６員環のケトン類が好ましい。
α、β−不飽和ケトンの具体例としては、例えば以下のような化合物が挙げられる。なお、α、β−不飽和ケトンのα位とβ位の二重結合において、Ｚ配置及びＥ配置があるものは、それらの何れも含むものである。以下、化合物中の波線は、Ｚ配置及びＥ配置、又はそれらの混合物を表す。
以下化合物中、Ｐｈはフェニル基、Ｅｔはエチル基、Ｂｕはブチル基、Ｐｒはプロピル基、Ｂｎはベンジル基を表す。
【００６５】
【化１３】
2011108672.tif 000014
【００６６】
【化１４】
2011108672.tif 000015
【００６７】
＜触媒＞
次に、本発明の触媒について説明する。
本発明の触媒は、周期表における第８〜１０族の遷移金属より選ばれる少なくとも一種の遷移金属の錯体と光学活性環状含窒素化合物、必要に応じて酸を追加成分として含み、これらを反応させることにより得られる均一系不斉水素化触媒である。
【００６８】
本発明で用いられる遷移金属錯体は、周期表における第８〜１０族の遷移金属より選ばれる少なくとも一種の遷移金属の錯体であって、本発明の不斉水素化反応が進行するものであれば特に制限されるものではない。
周期表における第８〜１０族の金属としては、ニッケル（Ｎｉ）、ルテニウム（Ｒｕ）、ロジウム（Ｒｈ）、イリジウム（Ｉｒ）、パラジウム（Ｐｄ）及び白金（Ｐｔ）が挙げられ、特に好ましい金属はパラジウムである。また、錯体における価数は０価から３価が好ましい。
【００６９】
使用される金属錯体の配位子としては、水素原子、アルキル基、アルコキシ基、オレフィン、アルキン、π―アリル、アリール基、カルベン、ナイトレン、ハロゲン原子、カルボキシ基、一酸化炭素、イソニトリル、窒素配位子、燐配位子等の単座から三座の配位子、ニトリル、テトラヒドロフラン等の溶媒配位子が挙げられ、数種の配位子が配位していても良く、それらの配位子はラセミ体であっても光学活性体あっても良い。
【００７０】
本発明において用いられる遷移金属錯体としては、例えば下記一般式（４）で表される化合物が挙げられる。
［ＭｍＬｎＷｐＵｑ］ｒＺｓ            （４）
（式中、Ｍは周期表における第８〜１０族の遷移金属を示し；Ｌは配位子を示し；Ｗは水素原子、ハロゲン原子、アルキル基、アリール基、アルコキシ基、カルボキシル基、ジエン又はアニオンを示し；Ｕは水素原子、ハロゲン原子、アルキル基、アルコキシ基、アリール基、カルボキシル基、ジエン、アニオン又はＬ以外の配位子を示し；Ｚはアニオン又はアミンを示し：ｍ及びｒは１〜５の整数を示し；ｎ、ｐ、ｑ及びｓは０〜５の整数を示し、ｐ＋ｑ＋ｓは１以上である。）
【００７１】
一般式（４）において、Ｍで表される周期表における第８〜１０族の遷移金属としては、例えば、ニッケル（Ｎｉ）、ルテニウム（Ｒｕ）、ロジウム（Ｒｈ）、イリジウム（Ｉｒ）、パラジウム（Ｐｄ）および白金（Ｐｔ）等が挙げられる。
【００７２】
Ｌで表される配位子としては、例えば、窒素配位子、燐配位子等の単座から三座の配位子が挙げられる。
【００７３】
ＷおよびＵで表されるハロゲン原子としては、例えば、フッ素原子、塩素原子、臭素原子、ヨウ素原子等が挙げられる。
【００７４】
ＷおよびＵで表されるアルキル基としては、例えば、メチル基、エチル基、ｎ−プロピル基、イソプロピル基、ｎ−ブチル基、イソブチル基、ｓ−ブチル基、ｔ−ブチル基、ペンチル基、ヘキシル基、ヘプチル基、オクチル基等が挙げられる。
【００７５】
ＷおよびＵで表されるアリール基としては、例えば、フェニル基、ナフチル基、アントリル基、フェナントリル基、インデニル基、メシチル基等の芳香族単環、多環式基等が挙げられる。
【００７６】
ＷおよびＵで表されるアルコキシ基としては、メトキシ基、エトキシ基、プロポキシ基、イソプロポキシ基、ｎ−ブトキシ基、ｔ−ブトキシ基、ペノキシ基、ベンジルオキシ基等があげられる。
【００７７】
ＷおよびＵで表されるカルボキシ基としては、例えば、フェルミルオキシ基、アセトキシ基、プロピオニルオキシ基、ブチリルオキシ基、ベンゾイルオキシ基等が挙げられる。
【００７８】
ＷおよびＵで表されるジエンとしては、ブタジエン、１，５−シクロオクタジエン、ノルボルナジエン等が挙げられる。
【００７９】
ＷおよびＵで表されるアニオンとしては、ＮＯ３、ＳＯ４、ＣＯ３、ＢＨ４、ＢＨ４、Ｉ３、ＣｌＯ４、ＯＴｆ（Ｔｆは、トリフラート基（ＳＯ３ＣＦ３）を示す）、ＰＦ６、ＳｂＦ６、ＢＰｈ４（Ｐｈは、フェニル基を示す）等が挙げられる。
【００８０】
Ｕで表されるＬ以外の配位子としては、中性配位子である芳香族化合物またはオレフィン、炭素数１〜５のアルキルニトリル、ベンゾニトリル、フタロニトリル、ビリジン又は置換ピリジン、ジメチルスルホキシド、ジメチルホルムアミド、ジメチルアセトアミド、アセトン、ジベンジリデンアセトン（ｄｂａ）等が挙げられる。
【００８１】
Ｚで表されるアニオンとしては、ＮＯ３、ＳＯ４、ＣＯ３、ＢＨ４、ＢＨ４、Ｉ３、ＣｌＯ４、ＯＴｆ、ＰＦ６、ＳｂＦ６、ＢＰｈ４等が挙げられる。
【００８２】
Ｚで表されるアミンとしては、トリアルキルアミン化合物、ジアミン化合物、ピリジン類、ジアルキルアンモニウムイオン類等を挙げることができる。
【００８３】
遷移金属錯体の具体例として、例えば、ニッケル錯体としては、ビス（１，５−シクロオクタジエン）ニッケル、１，２−ビス（ジフェニルホスフィノ）エタンニッケル、ビス（トリフェニルホスフィン）ニッケルブロミド、ビス（トリフェニルホスフィン）ニッケルクロリド、ビス（トリフェニルホスフィン）ニッケルジカルボニル、メタリルニッケルクロリドダイマー、酢酸ニッケル、ニッケルアセトアセトナート、ニッケルトリフロロメタンスルホネートを挙げることができる。
【００８４】
ルテニウム錯体としては、ビス（２−メチルアリル）（１，５−シクロオクタジエン）ルテニウム、カルボニルクロロヒドリドトリス（トリフェニルホスフィン）ルテニウム、カルボニル（ジヒドリド）トリス（トリフェニルホスフィン）ルテニウム、クロロ（シクロペンタジエニル）ビス（トリフェニルホスフィン）ルテニウム、シクロペンタジエニル（パラサイメン）ルテニウムヘキサフロロホスフェート、ジクロロ（パラサイメン）ルテニウムダイマー、ジクロロ（１，５−シクロオクタジエン）ルテニウム  ポリマーを挙げることができる。
【００８５】
ロジウム錯体としては、アセチルアセトナート（１，５−シクロオクタジエン）ロジウム、ビス（１，５−シクロオクタジエン）ロジウムテトラフロロボレート、ビス（１，５−シクロオクタジエン）ロジウムトリフロロメタンスルホネート、ビス（ノルボルナジエン）ロジウムテトラフロロボレート、クロロカルボニルビス（トリフェニルホスフィン）ロジウム、クロロ（１，５−シクロオクタジエン）ロジウムダイマー、ジカルボニルアセチルアセトナートロジウム、酢酸ロジウムダイマー、ヘキサロジウム  ヘキサデカカルボニル、クロロトリス（トリフェニルホスフィン）ロジウムを挙げることができる。
【００８６】
イリジウム錯体としては、クロロカルボニルビス（トリフェニルホスフィン）イリジウムダイマー、クロロ（１，５−シクロオクタジエン）イリジウムダイマー、１，５−シクロオクタジエン（アセチルアセトナート）イリジウム、ジカルボニルアセチルアセトナートイリジウム、ジクロロ（ペンタメチルシクロペンタジエニル）イリジウムダイマー、ヒドリドカルボニルトリス（トリフェニルホスフィン）イリジウム、イリジウムアセチルアセトナート、三塩化イリジウムを挙げることができる。
【００８７】
パラジウム錯体としては、アリルパラジウムクロリドダイマー、ビス［１，２−ビス（ジフェニルホスフィノ）エタン］パラジウム、トリス（ジベンジリデンアセトン）ジパラジウム、塩化パラジウム、ビス（２−メチルアリル）パラジウムクロリドダイマー、ジアセタートビス（トリフェニルホスフィン）パラジウム、ジクロロビス（アセトニトリル）パラジウム、ジクロロ［１，２−ビス（ジフェニルホスフィノ）エタン］パラジウム、トランス−ジクロロビス（トリフェニルホスフィン）パラジウム、ジクロロ（１，５−シクロオクタジエン）パラジウム、シス−ジクロロ（Ｎ、Ｎ、Ｎ’、Ｎ’−テトラメチルエチレンジアミン）パラジウム、酢酸パラジウム、パラジウムアセチルアセトナート、テトラキス（トリフェニルホスフィン）パラジウムを挙げることができる。
【００８８】
白金錯体としては、ビス（エチレンジアミン）プラチナ、ビス（トリ−ｔ−ブチルホスフィン）プラチナ、ジブロモ（１，５−シクロオクタジエン）プラチナ、ジクロロビス（ベンゾニトリル）プラチナ、シス−ジクロロビス（ピリジン）プラチナ、シス−（ジクロロビス）トリフェニルホスフィンプラチナ、ジクロロ（１，５−シクロオクタジエン）プラチナ、ジクロロ（ジシクロペンタジエニル）プラチナ、プラチナアセチルアセトナート、塩化白金、テトラキス（トリフェニルホスフィン）プラチナを挙げることができる。
【００８９】
本発明の触媒は、補助配位子を含んでもよい。これにより、錯体触媒の反応性を向上させ、不斉水素化の選択性を向上させることが可能となる。
具体的には、一酸化炭素、シクロペンタジエン、ペンタメチルシクロペンタジエン、シクロオクテン、シクロオクタジエン（ＣＯＤ）、ｐ−シメン、アセトニトリル、ベンゾニトリル、ピコリン酸、トリフェニルホスフィン、トリｔ−ブチルホスフィン、トリフェニルホスファイト、トリフェニルホスフェート、トリシクロヘキシルホスフィン、ジ−ｔ−ブチル（２，２−ジフェニル−１−メチル−１−シクロプロピル）フォスフィン（ＢＲＩＤＰ）、トリ−ｎ−オクチルフォスフィン、２，２’−ビス（ジフェニルホスフィノ）−１，１’−ビナフチル（ＢＩＮＡＰ）、２，２’−ビス（５，５’，６，６’，７，７’，８，８’−オクタヒドロジフェニルホスフィノ）−１，１’−ビナフチル（Ｈ８−ＢＩＮＡＰ）、５，５’−ビス（ジフェニルホスフィノ）−４，４’−ビ−１，３−ベンゾオキサゾール（ＳＥＧＰＨＯＳ）、２，２’−ビス（ジフェニルホスフィノ）−１，１’−ビフェニル（ＢＩＰＨＥＰ）、１，２−ビス（（２Ｒ，５Ｒ）−２，５−ジメチル−ホスフォラノ）ベンゼン（ＤＵＰＨＯＳ）、ビス（ジフェニルフォスフィノ）ブタン（Ｃｈｉｒａｐｈｏｓ）、１，２−ビス（ジフェニルフォスフィノ）エタン（Ｄｐｐｅ）、１，２−ビス（ジフェニルフォスフィノ）フェロセン（Ｄｐｐｆ）、１，２−ビス（ジフェニルフォスフィノ）プロパン（Ｄｐｐｐ）、２，２’−ビピリジン、２，２’：６’，２’’−ターピリジン、Ｎ−メチルプロリンエチルエステル、Ｎ−メチル−２−ジフェニルメチルピロリジン等が好ましく使用できる。補助配位子は光学活性体でも良い。
補助配位子は、金属原子に対して０．５〜８等量含むことが好ましい。かかる含有量であれば、対応する金属原子に応じて金属錯体触媒の性能を向上することが可能となる。
【００９０】
続いて、本発明における触媒成分として用いられる光学活性環状含窒素化合物について説明する。本発明の触媒において、光学活性環状含窒素化合物は、触媒金属である周期表における第８〜１０族の遷移金属に配位している。
本発明において、目的生成物である光学活性カルボニル化合物の立体配置は、基質の立体配座ではなく、共触媒成分として使用する光学活性環状含窒素化合物の立体配置に依存する。そのため、本発明では、基質となるα、β−不飽和カルボニル化合物がＺ配置化合物とＥ配置化合物のいずれを使用した場合においても、また混合物を基質として使用した場合においても、同じ立体配置の光学活性カルボニル化合物を製造することができる。
【００９１】
光学活性環状含窒素化合物としては、例えば、一般式（１）で表される光学活性環状含窒素化合物があげられる。
【００９２】
【化１５】
2011108672.tif 000016
【００９３】
式（１）中、環Ａは３〜７員環で、置換基を有していてもよく、炭素、窒素、硫黄、酸素、及び燐からなる群より選ばれる少なくとも一種の原子を含む。
Ｒ１及びＲ２は、それぞれ独立して、水素原子、置換基を有してもよいアルキル基、置換基を有していてもよいシクロアルキル基、置換基を有してもよいアルケニル基、置換基を有してもよいアリール基、置換基を有してもよいアラルキル基、置換基を有していてもよいアルコキシ基、置換基を有していてもよいカルボキシル基、置換基を有していてもよいアルコキシカルボニル基、置換基を有していてもよいアミド基、置換基を有してもよいカルバモイル基、置換基を有していてもよいシロキシ基を表す。ただしＲ１とＲ２は同じ置換基になることはない。また、Ｒ１又はＲ２の一方が環Ａと結合しさらに環を形成していてもよい。＊は不斉炭素原子を表す。
【００９４】
環Ａは、基本骨格としては、例えば、アジリジン骨格、アゼチジン骨格、ピロリジン骨格、インドリン骨格、ピロリン骨格、ピラゾリジン骨格、イミダゾリジン骨格、イミダゾリジノン骨格、ピラゾリン骨格、チアゾリジン骨格、ピペリジン骨格、ピペラジン骨格、モルホリン骨格、チオモルホリン骨格等が挙げられる。これらの基本骨格に置換基が存在していてもよい。
【００９５】
環Ａの基本骨格に存在する置換基としては、オキソ基、ハロゲン基、アルキル基、アルコキシ基、アミノ基、ヒドロキシカルボニル基、アルコキシカルボニル基、アシル基、アリール基、アラルキル基が挙げられる。アルキル基、アルコキシ基、アルコキシカルボニル基、アリール基、及びアラルキル基としては、Ｒ１及びＲ２の説明で列挙する基が挙げられる。ハロゲン原子としては、例えばフッ素原子、塩素原子、臭素原子及びヨウ素原子等が挙げられる。アミノ基としては、例えば、アミノ基、メチルアミノ基、エチルアミノ基、プロピルアミノ基、イソプロピルアミノ基、ブチルアミノ基、ｔ−ブチルアミノ基、オクチルアミノ基、シクロヘキシルアミノ基、フェニルアミノ基、スチレニルアミノ基、ナフチルアミノ基、ベンジルアミノ基、アントラセニルアミノ基、ジメチルアミノ基、ジエチルアミノ基、ジプロピルアミノ基、ジイソプロピルアミノ基、ジブチルアミノ基、ジｔ−ブチルアミノ基、ジオクチルアミノ基、ジシクロヘキシルアミノ基、ジフェニルアミノ基、ジスチレニルアミノ基、ジナフチルアミノ基、ジベンジルアミノ基、ジアントラセニルアミノ基、メチルフェニルアミノ基、エチルブチルアミノ基、フェニルシクロヘキシルアミノ基、ｔ−ブチルナフチルアミノ基、ベンジルアントラセニルアミノ基等が挙げられる。
アシル基としては、例えば、アセチル基、プロパノイル基、ブタノイル基、オクタノイル基、ベンゾイル基、トルオイル基、キシロイル基、ナフトイル基、フェナンスロイル基、アントラノイル基等が挙げられる。
【００９６】
環Ａとしては、これらの中でも、置換基を有してもよいピロリジン骨格及び置換基を有してもよいイミダゾリジノン骨格類が好ましい。
【００９７】
次に、Ｒ１及びＲ２で表される基である、アルキル基、シクロアルキル基、アルケニル基、アリール基、アラルキル基、アルコキシ基、カルボキシル基、アルコキシカルボニル基、アミド基、カルバモイル基、シロキシ基について説明する。これらの基はいずれも置換基を有していてもよい。
【００９８】
アルキル基としては、鎖状又は分岐状の例えば炭素数１〜３０、好ましくは炭素数１〜１０のアルキル基が挙げられ、具体的にはメチル基、エチル基、ｎ−プロピル基、イソプロピル基、ｎ−ブチル基、２−ブチル基、イソブチル基、ｔｅｒｔ−ブチル基、ｎ−ペンチル基、２−ペンチル基、３−ペンチル基、ｔｅｒｔ−ペンチル基、２−メチルブチル基、３−メチルブチル基、２，２−ジメチルプロピル基、１，２−ジメチルプロピル基、ｎ−ヘキシル基、２−ヘキシル基、３−ヘキシル基、２−メチルペンチル基、３−メチルペンチル基、４−メチルペンチル基、１，１−ジメチルブチル基、１，２−ジメチルブチル基、１，３−ジメチルブチル基、２，２−ジメチルブチル基、２，３−ジメチルブチル基、３，３−ジメチルブチル基、２−エチルブチル基、１，１，２−トリメチルプロピル基、１，２，２−トリメチルプロピル基、１−エチル−１−メチルプロピル基、１−エチル−２−メチルプロピル基、ヘプチル基、オクチル基、ノニル基、デシル基、ウンデシル基、ドデル基、トリデシル基、テトラデシル基、ペンタデシル基、ヘキサデシル基、ヘプタデシル基、オクタデシル基、ノナデシル基、イコシル基、ヘンイコシル基及びドコシル基等が挙げられる。
【００９９】
また、これらアルキル基は置換基を有していてもよく、該アルキル基の置換基としては、例えばアルケニル基、アルキニル基、アリール基、脂肪族複素環基、芳香族複素環基、ヒドロキシ基、アルコキシ基、トリアルキルシロキシ基、アルキレンジオキシ基、アリールオキシ基、アラルキルオキシ基、ヘテロアリールオキシ基、置換アミノ基、パーハロゲノアルキル基及びハロゲン原子等が挙げられる。
【０１００】
アルキル基の置換基としてのアルケニル基としては、直鎖状でも分岐状でもよい、例えば炭素数２〜２０、好ましくは炭素数２〜１０、より好ましくは炭素数２〜６のアルケニル基が挙げられ、具体的にはビニル基、プロペニル基、１−ブテニル基、ペンテニル基及びヘキセニル基等が挙げられる。
【０１０１】
アルキル基の置換基としてのアルキニル基としては、直鎖状でも分岐状でもよい、例えば炭素数２〜１５、好ましくは炭素数２〜１０、より好ましくは炭素数２〜６のアルキニル基が挙げられ、具体的にはエチニル基、１−プロピニル基、２−プロピニル基、１−ブチニル基、３−ブチニル基、ペンチニル基及びヘキシニル基等が挙げられる。
【０１０２】
アルキル基の置換基としてのアリール基としては、例えば炭素数６〜１４のアリール基が挙げられ、具体的にはフェニル基、ナフチル基、アンスリル基、フェナンスリル基、ビフェニル基、トリル基、キシリル基、メシチル基、メトキシフェニル基、ジメトキシフェニル基及びフルオロフェニル基等が挙げられる。
【０１０３】
アルキル基の置換基としての脂肪族複素環基としては、例えば炭素数２〜１４であって、異種原子として少なくとも１個、好ましくは１〜３個の例えば窒素原子、酸素原子、硫黄原子等のヘテロ原子を含んでいる基があげられる。好ましくは、５又は６員の単環の脂肪族複素環基、及び多環又は縮合環の脂肪族複素環基が挙げられる。脂肪族複素環基の具体例としては、例えば、２−オキソ−１−ピロリジニル基、ピペリジノ基、ピペラジニル基、モルホリノ基、テトラヒドロフリル基、テトラヒドロピラニル基及びテトラヒドロチエニル基等が挙げられる。
【０１０４】
アルキル基の置換基としての芳香族複素環基としては、例えば炭素数２〜１５であって、異種原子として少なくとも１個、好ましくは１〜３個の窒素原子、酸素原子、硫黄原子等の異種原子を含んでいる基があげられる。好ましくは、５又は６員の単環の芳香族複素環基、及び多環又は縮合環の芳香族複素環基が挙げられる。芳香族複素環基の具体例としては、例えば、フリル基、チエニル基、ピリジル基、ピリミジニル基、ピラジニル基、ピリダジニル基、ピラゾリニル基、イミダゾリル基、オキサゾリニル基、チアゾリニル基、ベンゾフリル基、ベンゾチエニル基、キノリル基、イソキノリル基、キノキサリニル基、フタラジニル基、キナゾリニル基、ナフチリジニル基、シンノリニル基、ベンゾイミダゾリル基、ベンゾオキサゾリル基及びベンゾチアゾリル基等が挙げられる。
【０１０５】
アルキル基の置換基としてのアルコキシ基としては、直鎖状又は分岐状の、例えば炭素数１〜８のアルコキシ基が挙げられ、具体的にはメトキシ基、エトキシ基、ｎ−プロポキシ基、イソプロポキシ基、ｎ−ブトキシ基、２−ブトキシ基、イソブトキシ基、ｔｅｒｔ−ブトキシ基、ｎ−ペンチロキシ基、２−メチルブトキシ基、３−メチルブトキシ基、２，２−ジメチルプロポキシ基、ｎ−ヘキシロキシ基、２−メチルペンチロキシ基、３−メチルペンチロキシ基、４−メチルペンチロキシ基、５−メチルペンチロキシ基、シクロペンチロキシ基及びシクロヘキシロキシ基等が挙げられる。
【０１０６】
アルキル基の置換基としてのトリアルキルシロキシ基としては、例えばトリメチルシロキシ基、トリエチルシロキシ基、ジメチルｔｅｒｔ−ブチルシロキシ基等が挙げられる。
【０１０７】
アルキル基の置換基としてのアルキレンジオキシ基としては、例えば炭素数１〜３のアルキレンジオキシ基が挙げられ、具体的にはメチレンジオキシ基、エチレンジオキシ基、プロピレンジオキシ基及びイソプロピリデンジオキシ基等が挙げられる。
【０１０８】
アルキル基の置換基としてのアリールオキシ基としては、例えば炭素数６〜１５のアリールオキシ基が挙げられ、具体的にはフェノキシ基、ナフチロキシ基、アンスリロキシ基、トリルオキシ基、キシリルオキシ基、４−フェニルフェノキシ基、３，５−ジフェニルフェノキシ基、４−メシチルフェノキシ基及び３，５−ビス（トリフロロメチル）フェノキシ基等が挙げられる。
【０１０９】
アルキル基の置換基としてのアラルキルオキシ基としては、例えば炭素数７〜１２のアラルキルオキシ基が挙げられ、具体的にはベンジロキシ基、２−フェニルエトキシ基、１−フェニルプロポキシ基、２−フェニルプロポキシ基、３−フェニルプロポキシ基、１−フェニルブトキシ基、２−フェニルブトキシ基、３−フェニルブトキシ基、４−フェニルブトキシ基、１−フェニルペンチロキシ基、２−フェニルペンチロキシ基、３−フェニルペンチロキシ基、４−フェニルペンチロキシ基、５−フェニルペンチロキシ基、１−フェニルヘキシロキシ基、２−フェニルヘキシロキシ基、３−フェニルヘキシロキシ基、４−フェニルヘキシロキシ基、５−フェニルヘキシロキシ基及び６−フェニルヘキシロキシ基等が挙げられる。
【０１１０】
アルキル基の置換基としてのヘテロアリールオキシ基としては、例えば、異種原子として少なくとも１個、好ましくは１〜３個の窒素原子、酸素原子、硫黄原子等の異種原子を含んでいる、炭素数２〜１４のヘテロアリールオキシ基が挙げられ、具体的には、２−ピリジルオキシ基、２−ピラジルオキシ基、２−ピリミジルオキシ基及び２−キノリルオキシ基等が挙げられる。
【０１１１】
アルキル基の置換基としての置換アミノ基としては、例えば、Ｎ−メチルアミノ基、Ｎ，Ｎ−ジメチルアミノ基、Ｎ，Ｎ−ジエチルアミノ基、Ｎ，Ｎ−ジイソプロピルアミノ基、Ｎ−シクロヘキシルアミノ基、ピロリジル基、ピペリジル基及びモルホリル基等のモノ又はジアルキルアミノ基；Ｎ−フェニルアミノ基、Ｎ，Ｎ−ジフェニルアミノ基、Ｎ−ナフチルアミノ基、Ｎ−ナフチル−Ｎ−フェニルアミノ基等のモノ又はジアリールアミノ基；Ｎ−ベンジルアミノ基、Ｎ，Ｎ−ジベンジルアミノ基等のモノ又はジアラルキルアミノ基等が挙げられる。
【０１１２】
アルキル基に置換するパーハロゲノアルキル基としては、例えば、トリフロロメチル基、ペンタフロロエチル基、ヘプタフロロプロピル基、ノナフロロブチル基、トリクロロメチル基、ペンタクロロエチル基等が挙げられる。
【０１１３】
アルキル基に置換するハロゲン原子としては、例えばフッ素原子、塩素原子、臭素原子及びヨウ素原子等が挙げられる。
【０１１４】
シクロアルキル基としては、例えばシクロプロピル基、シクロブチル基、シクロペンチル基及びシクロヘキシル基等が挙げられる。
これらシクロアルキル基は置換基を有していてもよく、該置換基としては、前記のアルキル基の置換基の説明で述べたような置換基が挙げられる。
【０１１５】
アルケニル基としては、鎖状又分岐状あるいは環状の、例えば炭素数２〜２０、好ましくは炭素数２〜１０のアルケニル基が挙げられる。具体的なアルケニル基としては、例えばビニル基、１−プロペニル基、２−プロペニル基、１−ブテニル基、２−ブテニル基、３−ブテニル基、１−ペンテニル基、２−ペンテニル基、３−ペンテニル基、４−ペンテニル基、１−シクロペンテニル基、３−シクロペンテニル基、１−ヘキセニル基、２−ヘキセニル基、３−ヘキセニル基、４−ヘキセニル基、５−ヘキセニル基、４−メチル−３−ペンテニル基、４，８−ジメチル−３，７−ノナジエニル基、１−シクロヘキセニル基及び３−シクロヘキセニル基等が挙げられる。
これらアルケニル基は置換基を有していてもよく、該置換基としては、前記のアルキル基の置換基の説明で述べたような基が挙げられる。
【０１１６】
アリール基としては、例えば炭素数６〜１４のアリール基が挙げられ、具体的にはフェニル基、ナフチル基、アントリル基、フェナンスリル基、ビフェニル基等が挙げられる。  これらアリール基は置換基を有していてもよく、該置換基としてはアルキル基の置換基の説明で述べたような基が挙げられる。
【０１１７】
アラルキル基としては、例えば炭素数７〜４５のアラルキル基が好ましく、具体的にはベンジル基、トリルメチル基、キシリルメチル基、メシチルメチル基、４−フェニルフェニルメチル基、３−フェニルフェニルメチル基、２−フェニルフェニルメチル基、４−メシチルフェニルメチル基、１−ナフチルメチル基、２−ナフチルメチル基、９−アントラニルメチル基、９−フェナントリルメチル基、３，５−ジフェニルフェニルメチル基、２−フェニルエチル基、１−フェニルプロピル基、３−ナフチルプロピル基、ジフェニルメチル基、ジトリルメチル基、ジキシリルメチル基、ジメシチルメチル基、ジ（４−フェニルフェニル）メチル基、ジ（３−フェニルフェニル）メチル基、ジ（２−フェニルフェニル）メチル基、ジ（４−メシチルフェニル）メチル基、ジ１−ナフチルメチル基、ジ２−ナフチルメチル基、ジ９−アントラニルメチル基、ジ９−フェナントリルメチル基、ビス（３，５−ジフェニルフェニル）メチル基、トリフェニルメチル基、トリトリルメチル基、トリキシリルメチル基、トリメシチルメチル基、トリ（４−フェニルフェニル）メチル基、トリ（３−フェニルフェニル）メチル基、トリ（２−フェニルフェニル）メチル基、トリ（４−メシチルフェニル）メチル基、トリ１−ナフチルメチル基、トリ２−ナフチルメチル基、トリ９−アントラニルメチル基、トリ９−フェナントリルメチル基、トリス（３，５−ジフェニルフェニル）メチル基、ヒドロキシフェニルメチル基、ヒドロキシジフェニルメチル基、ヒドロキシジトリルメチル基、ヒドロキシジ（４−ｔ−ブチルフェニル）メチル基、ヒドロキシジキシリルメチル基、ヒドロキシジ（２−フェニルフェニル）メチル基、ヒドロキシジ（３−フェニルフェニル）メチル基、ヒドロキシジ（４−フェニルフェニル）メチル基、ヒドロキシビス（３，５−ジフェニルフェニル）メチル基、ヒドロキシジ（４−メシチルフェニル）メチル基、ヒドロキシビス（３，５−ジトリフロロメチルフェニル）メチル基、トリメチルシロキシフェニルメチル基、トリメチルシロキシジフェニルメチル基、トリメチルシロキシジトリルメチル基、トリメチルシロキシジ（４−ｔ−ブチルフェニル）メチル基、トリメチルシロキシジキシリルメチル基、トリメチルシロキシジ（２−フェニルフェニル）メチル基、トリメチルシロキシジ（３−フェニルフェニル）メチル基、トリメチルシロキシジ（４−フェニルフェニル）メチル基、トリメチルシロキシビス（３，５−ジフェニルフェニル）メチル基、トリメチルシロキシジ（４−メシチルフェニル）メチル基及びトリメチルシロキシビス（３，５−ジトリフロロメチルフェニル）メチル基等が挙げられる。
これらアラルキル基は置換基を有していてもよく、該置換基としてはアルキル基の説明で述べたような基が挙げられる。
【０１１８】
アルコキシ基としては、たとえば炭素数１〜３０のアルコキシ基が好ましく、具体的にはメトキシ基、エトキシ基、ｎ−プロポキシ基、イソプロポキシ基、ｎ−ブトキシ基、２−ブトキシ基、イソブトキシ基、ｔｅｒｔ−ブトキシ基、ｎ−ペンチロキシ基、２−メチルブトキシ基、３−メチルブトキシ基、２，２−ジメチルプロポキシ基、ｎ−ヘキシロキシ基、２−メチルペンチロキシ基、３−メチルペンチロキシ基、４−メチルペンチロキシ基、５−メチルペンチロキシ基、シクロペンチロキシ基、シクロヘキシロキシ基、ジシクロペンチルメトキシ基、ジシクロヘキシルメトキシ基、トリシクロペンチルメトキシ基、トリシクロヘキシルメトキシ基、フェニルメトキシ基、ジフェニルメトキシ基及びトリフェニルメトキシ基等が挙げられる。
これらアルコキシ基は置換基を有していてもよく、該置換基としてはアルキル基の説明で述べたような基が挙げられる。
【０１１９】
カルボキシル基としては、例えば炭素数１〜３０のカルボキシル基が好ましく、具体的にはアセトキシ基、ｎ−プロパノイロキシ基、イソプロパノイロキシ基、ｎ−ブタノイロキシ基、２−ブタノイロキシ基、イソブタノイロキシ基、ｔｅｒｔ−ブタノイロキシ基、ｎ−ペンタノイロキシ基、２−メチルブタノイロキシ基、３−メチルブタノイロキシ基、２，２−ジメチルプロパノイロキシ基、ｎ−ヘキサノイロキシ基、２−メチルペンタノイロキシ基、３−メチルペンタノイロキシ基、４−メチルペンタノイロキシ基、５−メチルペンタノイロキシ基、シクロペンタノイロキシ基、シクロヘキサノイロキシ基、ジシクロペンチルアセトキシ基、ジシクロヘキシルアセトキシ基、トリシクロペンチルアセトキシ基、トリシクロヘキシルアセトキシ基、フェニルアセトキシ基、ジフェニルアセトキシ基、トリフェニルアセトキシ基、ベンゾイロキシ基、ナフトイロキシ基等が挙げられる。
これらカルボキシ基は置換基を有していてもよく、該置換基としてはアルキル基の説明で述べたような基が挙げられる。
【０１２０】
アルコキシカルボニル基としては、たとえば炭素数１〜３０のアルコキシカルボニル基が好ましく、具体的にはメトキシカルボニル基、エトキシカルボニル基、ｎ−プロポキシカルボニル基、イソプロポキシカルボニル基、ｎ−ブトキシカルボニル基、２−ブトキシカルボニル基、イソブトキシカルボニル基、ｔｅｒｔ−ブトキシカルボニル基、ｎ−ペンチロキシカルボニル基、２−メチルブトキシカルボニル基、３−メチルブトキシカルボニル基、２，２−ジメチルプロポキシカルボニル基、ｎ−ヘキシロキシカルボニル基、２−メチルペンチロキシカルボニル基、３−メチルペンチロキシカルボニル基、４−メチルペンチロキシカルボニル基、５−メチルペンチロキシカルボニル基、シクロペンチロキシカルボニル基、シクロヘキシロキシカルボニル基、ジシクロペンチルメトキシカルボニル基、ジシクロヘキシルメトキシカルボニル基、トリシクロペンチルメトキシカルボニル基、トリシクロヘキシルメトキシカルボニル基、フェニルメトキシカルボニル基、ジフェニルメトキシカルボニル基及びトリフェニルメトキシカルボニル基等が挙げられる。
これらアルコキシカルボニル基は置換基を有していてもよく、該置換基としてはアルキル基の説明で述べたような基が挙げられる。
【０１２１】
アミド基としては、例えば炭素数１〜３０のアミド基が好ましく具体的にはアセトアミド基、ｎ−プロピオンアミド基、イソプロピオンアミド基、ｎ−ブタナミド基、２−ブタナミド基、イソブタナミド基、ｔｅｒｔ−ブタナミド基、ｎ−ペンタナミド基、２−メチルブタナミド基、３−メチルブタナミド基、２，２−ジメチルプロピオンアミド基、ｎ−ヘキサナミド基、２−メチルペンタナミド基、３−メチルペンタナミド基、４−メチルペンタナミド基、５−メチルペンタナミド基、シクロペンタナミド基、シクロヘキサナミド基、ジシクロペンチルアセトアミド基、ジシクロヘキシルアセトアミド基、トリシクロペンチルアセトアミド基、トリシクロヘキシルアセトアミド基、フェニルアセトアミド基、ジフェニルアセトアミド基、トリフェニルアセトアミド基、ベンズアミド基、ナフタレンアミド基等が挙げられる。
これらアミド基は置換基を有していてもよく、該置換基としてはアルキル基の説明で述べたような基が挙げられる。
【０１２２】
カルバモイル基としては、例えば炭素数１〜３０のカルバモイル基が好ましく具体的には、カルバモイル基、メチルカルバモイル基、エチルカルバモイル基、ｎ−プロピルカルバモイル基、イソプロピルカルバモイル基、ｎ−ブチルカルバモイル基、２−ブチルカルバモイル基、イソブチルカルバモイル基、ｔｅｒｔ−ブチルカルバモイル基、ｎ−ペンチルカルバモイル基、シクロペンチルカルバモイル基、シクロヘキシルカルバモイル基、シクロヘプチルカルバモイル基、ジメチルカルバモイル基、ジエチルカルバモイル基、ジｎ−プロピルカルバモイル基、ジイソプロピルカルバモイル基、ジｎ−ブチルカルバモイル基、ジ２−ブチルカルバモイル基、ジイソブチルカルバモイル基、ジｔｅｒｔ−ブチルカルバモイル基、ジｎ−ペンチルカルバモイル基、ジシクロペンチルカルバモイル基、ジシクロヘキシルカルバモイル基、ジシクロヘプチルカルバモイル基、Ｎ，Ｎ−１，４−テトラメチレンカルバモイル基、Ｎ，Ｎ−１，５−ペンタメチレンカルバモイル基、モルホリンカルバモイル基、フェニルカルバモイル基、トリルカルバモイル基、キシリルカルバモイル基、メシチルカルバモイル基、３，５−ジｔｅｒｔ−ブチルフェニルカルバモイル基、ｐ−フェニルカルバモイル基、ｍ−フェニルカルバモイル基、ｏ−フェニルカルバモイル基、４−フェニルフェニルカルバモイル基、３−フェニルフェニルカルバモイル基、２−フェニルフェニルカルバモイル基、４−メシチルフェニルカルバモイル基、３，５−ジフェニルフェニルカルバモイル基、ナフチルカルバモイル基、フェナントリルカルバモイル基、アントラニルカルバモイル基、ジフェニルカルバモイル基、ジトリルカルバモイル基、ジキシリルカルバモイル基、ジメシチルカルバモイル基、ビス（３，５−ジｔｅｒｔ−ブチルフェニル）カルバモイル基、ジｐ−フェニルカルバモイル基、ジｍ−フェニルカルバモイル基、ジｏ−フェニルカルバモイル基、ジ（４−フェニルフェニル）カルバモイル基、ジ（３−フェニルフェニル）カルバモイル基、ジ（２−フェニルフェニル）カルバモイル基、ジ（４−メシチルフェニル）カルバモイル基、ビス（３，５−ジフェニルフェニル）カルバモイル基、ジナフチルカルバモイル基、ジフェナントリルカルバモイル基及びジアントラニルカルバモイル基等が挙げられる。
これらカルバモイル基は置換基を有していてもよく、該置換基としてはアルキル基の説明で述べたような基が挙げられる。
【０１２３】
シロキシ基としては、例えばトリメチルシロキシ基、トリエチルシロキシ基、ジメチルｔｅｒｔ−ブチルシロキシ基等があげられる。
これらシロキシ基は置換基を有していてもよく、該置換基としてはアルキル基の説明で述べたような基が挙げられる。
【０１２４】
具体的な光学活性環状含窒素化合物としては、例えば以下のような化合物が挙げられる。
以下化合物中、Ｍｅはメチル基、Ｐｈはフェニル基、Ｂｕはブチル基、Ｂｎはベンジル基、Ｅｔはエチル基、ＴＭＳはトリメチルシリル基、Ｐｒはプロピル基、ｉＰｒはイソプロピル基、ｐｏｌｙｍｅｒはポリマー鎖を表す。
【０１２５】
【化１６】
2011108672.tif 000017
【０１２６】
【化１７】
2011108672.tif 000018
【０１２７】
【化１８】
2011108672.tif 000019
【０１２８】
【化１９】
2011108672.tif 000020
【０１２９】
【化２０】
2011108672.tif 000021
【０１３０】
【化２１】
2011108672.tif 000022
【０１３１】
【化２２】
2011108672.tif 000023
【０１３２】
【化２３】
2011108672.tif 000024
【０１３３】
【化２４】
2011108672.tif 000025
【０１３４】
【化２５】
2011108672.tif 000026
【０１３５】
【化２６】
2011108672.tif 000027
【０１３６】
【化２７】
2011108672.tif 000028
【０１３７】
【化２８】
2011108672.tif 000029
【０１３８】
【化２９】
2011108672.tif 000030
【０１３９】
【化３０】
2011108672.tif 000031
【０１４０】
【化３１】
2011108672.tif 000032
【０１４１】
【化３２】
2011108672.tif 000033
【０１４２】
【化３３】
2011108672.tif 000034
【０１４３】
【化３４】
2011108672.tif 000035
【０１４４】
【化３５】
2011108672.tif 000036
【０１４５】
【化３６】
2011108672.tif 000037
【０１４６】
【化３７】
2011108672.tif 000038
【０１４７】
【化３８】
2011108672.tif 000039
【０１４８】
【化３９】
2011108672.tif 000040
【０１４９】
【化４０】
2011108672.tif 000041
【０１５０】
【化４１】
2011108672.tif 000042
【０１５１】
【化４２】
2011108672.tif 000043
【０１５２】
更に、本発明においてはもう一つの触媒成分として酸を用いることが好ましい。酸を用いることで、光学活性環状含窒素化合物を塩として系内に存在させるができ、これにより、触媒反応を促進させることが出来る。また、酸が錯体触媒のカウンターとして存在することで錯体触媒の安定化を図ることが出来る。
酸としては有機酸及び無機酸を用いることができるが、特に有機酸が好ましい。
【０１５３】
具体的な有機酸の例としては、酢酸、クロロ酢酸、ジフロロ酢酸、トリフロロ酢酸、トリクロロ酢酸、トリブロモ酢酸、安息香酸、２，４−ジニトロ安息香酸、パラトルエンスルホン酸、メタンスルホン酸、トリフロロメタンスルホン酸等が挙げられる。
具体的な無機酸の例としては、弗酸、塩酸、臭酸、ヨウ酸、硫酸、過塩素酸、燐酸、硝酸等が挙げられる。
【０１５４】
前記した遷移金属錯体と、光学活性環状含窒素化合物と、必要に応じて酸もしくは補助配位子を反応させ、予め触媒を調製する場合は、溶媒中に遷移金属錯体と窒素化合物、必要に応じて酸もしくは補助配位子をあらかじめ添加し、ｉｎ  ｓｉｔｕにて調整しても良く、あらかじめ溶媒中で調整した溶液から溶媒を留去して、後ほど目的の水素化基質に添加しても良い。このようにして、本願発明の均一系不斉水素化触媒を得ることができる。
【０１５５】
＜製造方法＞
本発明では、前記した触媒の存在下に、または、前記した遷移金属錯体及び光学活性環状含窒素化合物の存在下に、α、β−不飽和カルボニル化合物を不斉水素化反応させることにより、光学活性アルデヒド又は光学活性ケトンのような光学活性カルボニル化合物が得られる。なお、遷移金属錯体及び光学活性環状含窒素化合物をはじめとする各化合物は市販品から入手できる。
【０１５６】
本発明の触媒として用いられる遷移金属錯体の使用量は、種々の反応条件により異なるが、基質であるα、β−不飽和カルボニル化合物に対して、例えば０．０００１〜１倍モルであり、好ましくは０．００１〜０．０５倍モル用いることができる。
【０１５７】
本発明の触媒の成分として用いられる光学活性環状含窒素化合物の使用量は、種々の反応条件により異なるが、基質であるα、β−不飽和カルボニル化合物に対して、例えば０．００１〜２０倍モルであり、好ましくは０．００１〜０．０５倍モル用いることができる。
【０１５８】
本発明の触媒の成分として用いられる酸の使用量は、種々の反応条件により異なるが、光学活性環状含窒素化合物に対して、例えば、０．０１〜１０倍モルであり、好ましくは０．２〜４倍モル用いることができる。
【０１５９】
本発明の触媒を用いてα、β−不飽和カルボニル化合物を不斉水素化し光学活性カルボニル化合物を製造する際には、溶媒の存在下又は非存在下で行うことができるが、溶媒存在下で行うことが好ましい。
【０１６０】
使用される具体的な溶媒としては、ヘキサン、ヘプタン、オクタン等の脂肪族炭化水素系有機溶媒；シクロヘキサン、メチルシクロヘキサン等の脂環式炭化水素系有機溶媒；ベンゼン、トルエン、キシレン等の芳香族炭化水素系有機溶媒；ジエチルエーテル、ジイソプロピルエーテル、ジメトキシエタン、テトラヒドロフラン、ジオキサン、ジオキソランなどのエーテル系有機溶媒；水；メタノール、エタノール、プロパノール、イソプロパノール、ターシャリーブタノール等のアルコール系有機溶媒；ジクロロメタン、ジクロロエタン、クロロベンゼン、ブロモトルエン等のハロゲン化炭化水素系有機溶媒；ジメチルホルムアミド、アセトニトリル等が好ましく、必要に応じこれらの溶媒の混合溶媒を用いることもできる。これら溶媒の中でも、ヘプタン、トルエン、テトラヒドロフランが特に好ましい。
溶媒の使用量は、反応条件等により適宜選択することができるが、基質であるα、β−不飽和カルボニル化合物に対して例えば０〜２０倍容量、好ましくは０〜５倍容量である。
【０１６１】
本発明の方法は、水素ガスを水素源として行うが、その水素圧は、０．０１ＭＰａ〜１０ＭＰａであり、好ましくは０．１ＭＰａ〜１ＭＰａである。反応温度は、−７８〜１００℃であり、好ましくは１０〜４０℃である。反応時間は、反応条件により異なるが、通常１〜３０時間である。
【０１６２】
上記のようにして得られた光学活性カルボニル化合物は、例えば抽出、再結晶、各種クロマトグラフィー等の通常用いられる操作により、単離精製を行うことができる。また、得られる光学活性カルボニル化合物の立体配置は、光学活性環状含窒素化合物の立体配置を適宜選択することによって、ｄ体又はｌ体（Ｒ体又はＳ体）を製造することができる。
【実施例】
【０１６３】
以下、本発明を比較例および実施例を用いて詳細に説明するが、本発明はこれらにより何ら限定されるものではない。【０１６４】
なお、実施例中での生成物の測定は、次の機器装置類を用いて行われた。
核磁気共鳴スペクトル：
１Ｈ−ＮＭＲ：Ｏｘｆｏｒｄ  ３００ＭＨｚ  ＦＴ−ＮＭＲ（３００ＭＨｚ）（バリアン社製）
ガスクロマトグラフィー：
ＧＣ−２０１０ガスクロマトグラフ（株式会社島津製作所製）
カラム：
転化率測定  ＤＢ−ＷＡＸ（０．２５ｍｍ×３０ｍ）（Ａｇｉｌｅｎｔ社製）
光学純度測定  β−ＤＥＸ−２２５（０．２５ｍｍ×３０ｍ）、β−ＤＥＸ−３２５（０．２５ｍｍ×３０ｍ）（スペリコ社製）
検出器：ＦＩＤ
また、金属錯体はＡｌｄｒｉｃｈ社又はＳｔｒｅｍ社から、光学活性環状含窒素化合物はＡｌｄｒｉｃｈ社から購入したものを使用した。【０１６５】
（実施例１−１〜１−１５）
触媒金属としてパラジウム錯体を、共触媒（光学活性環状含窒素化合物）として（Ｒ）−（＋）−２−（Ｄｉｐｈｅｎｙｌｍｅｔｈｙｌ）ｐｙｒｒｏｒｉｄｉｎｅを用いた例を以下に記す。【０１６６】
（Ｒ）−（＋）−２−（Ｄｉｐｈｅｎｙｌｍｅｔｈｙｌ）ｐｙｒｒｏｒｉｄｉｎｅ【０１６７】
【化４３】
2011108672.tif 000044
【０１６８】
（実施例１−１）
１０ｍｌ反応フラスコに、シトラール１ｇ（６．５７ｍｍｏｌ、試薬中のネラール・ゲラニアール比は１：１）、酢酸パラジウム２．９ｍｇ（０．２ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トリフルオロ酢酸１５ｍｇ（２ｍｏｌ％）、トルエン２ｍｌを入れて攪拌し、水素雰囲気とした。室温にて２１時間攪拌した後、ガスクロマトグラフィ−で分析したところ、シトラールからシトロネラールへの転化率は５０．６％で、得られたシトロネラールはｄ体であり、その光学純度は４０．３％ｅ．ｅ．であった。【０１６９】
（実施例１−２）
１０ｍｌ反応フラスコに、シトラール１ｇ（６．５７ｍｍｏｌ、試薬中のネラール・ゲラニアール比は１：１）、酢酸パラジウム５．８ｍｇ（０．４ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トルエン２ｍｌを入れて攪拌し、水素雰囲気とした。室温にて２１時間攪拌した後、ガスクロマトグラフィ−で分析したところ、シトラールからシトロネラールへの転化率は９９．８％で、得られたシトロネラールはｄ体であり、その光学純度は１８．２％ｅ．ｅ．であった。【０１７０】
（実施例１−３）
１０ｍｌ反応フラスコに、ネラール１ｇ（６．５７ｍｍｏｌ）、酢酸パラジウム５．８ｍｇ（０．４ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トリフルオロ酢酸１５ｍｇ（２ｍｏｌ％）、トルエン２ｍｌを入れて攪拌し、水素雰囲気とした。室温にて２１時間攪拌した後、ガスクロマトグラフィ−で分析したところ、ネラールからシトロネラールへの転化率は９４．５％で、得られたシトロネラールはｄ体であり、その光学純度は２５．６％ｅ．ｅ．であった。【０１７１】
（実施例１−４）
１０ｍｌ反応フラスコに、ゲラニアール１ｇ（６．５７ｍｍｏｌ）、酢酸パラジウム５．８ｍｇ（０．４ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トリフルオロ酢酸１５ｍｇ（２ｍｏｌ％）、トルエン２ｍｌを入れて攪拌し、水素雰囲気とした。室温にて２１時間攪拌した後、ガスクロマトグラフィ−で分析したところ、ゲラニアールからシトロネラールへの転化率は９３．２％で、得られたシトロネラールはｄ体であり、その光学純度は４０．５％ｅ．ｅ．であった。【０１７２】
（実施例１−５〜１−１５）
パラジウム錯体、溶媒、補助配位子を変更した以外は、全て実施例１と同様に反応を行なった。結果を以下の表１に示す。得られたシトロネラールは全てｄ体である。【０１７３】
【表１】
2011108672.tif 000045
【０１７４】
（実施例２−１〜２−３）
触媒の製造例及び製造した触媒を用いた不斉水素化反応の例を以下に示す。【０１７５】
（実施例２−１）
１０ｍｌ反応フラスコに、酢酸パラジウム２．９ｍｇ（０．２ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トルエン２ｍｌを仕込んだ。脱気後、室温にて一晩攪拌した後、次いで濃縮することにより錯体を得た。
この錯体は、Ｈ１−ＮＭＲ上に（Ｒ）−（＋）−２−（Ｄｉｐｈｅｎｙｌｍｅｔｈｙｌ）ｐｙｒｒｏｒｉｄｉｎｅと異なるシグナルが観測されたことにより（Ｒ）−（＋）−２−（Ｄｉｐｈｅｎｙｌｍｅｔｈｙｌ）ｐｙｒｒｏｒｉｄｉｎｅがパラジウムに配位した構造であることが確認された。
錯体のＨ１−ＮＭＲチャートを図１及び図２に示す。また、比較として（Ｒ）−（＋）−２−（Ｄｉｐｈｅｎｙｌｍｅｔｈｙｌ）ｐｙｒｒｏｒｉｄｉｎｅのＨ１−ＮＭＲチャートを図５及び図６に示す。【０１７６】
（実施例２−２）
１０ｍｌ反応フラスコに、酢酸パラジウム２．９ｍｇ（０．２ｍｏｌ％）、（Ｓ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トリフルオロ酢酸１５ｍｇ（２ｍｏｌ％）、トルエン２ｍｌを仕込んだ。脱気後、室温にて一晩攪拌した後、次いで濃縮することにより錯体を得た。
この錯体は、Ｈ１−ＮＭＲ上に（Ｒ）−（＋）−２−（Ｄｉｐｈｅｎｙｌｍｅｔｈｙｌ）ｐｙｒｒｏｒｉｄｉｎｅと異なるシグナルが観測されたことにより（Ｒ）−（＋）−２−（Ｄｉｐｈｅｎｙｌｍｅｔｈｙｌ）ｐｙｒｒｏｒｉｄｉｎｅがパラジウムに配位した構造であることが確認された。
錯体のＨ１−ＮＭＲチャートを図３及び図４に示す。また、比較として（Ｒ）−（＋）−２−（Ｄｉｐｈｅｎｙｌｍｅｔｈｙｌ）ｐｙｒｒｏｒｉｄｉｎｅのＨ１−ＮＭＲチャートを図５及び図６に、（Ｒ）−（＋）−２−（Ｄｉｐｈｅｎｙｌｍｅｔｈｙｌ）ｐｙｒｒｏｒｉｄｉｎｅのトリフルオロ酢酸塩のＨ１−ＮＭＲチャートを図７及び図８に示す。【０１７７】
（実施例２−３）
１０ｍｌ反応フラスコに、シトラール１ｇ（６．５７ｍｍｏｌ、試薬中のネラール・ゲラニアール比は１：１）、実施例２−１で得た触媒、トリフルオロ酢酸１５ｍｇ（２ｍｏｌ％）、トルエン２ｍｌを入れて攪拌し、水素雰囲気とした。室温にて２１時間攪拌した後、ガスクロマトグラフィ−で分析したところ、シトラールからシトロネラールへの転化率は５０．６％で、得られたシトロネラールはｄ体であり、その光学純度は４０．３％ｅ．ｅ．であった。【０１７８】
（実施例３−１〜３−４）
共触媒（光学活性環状含窒素化合物）として（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔを用いた例を以下に記す。【０１７９】
（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔ【０１８０】
【化４４】
2011108672.tif 000046
【０１８１】
（実施例３−１）
１０ｍｌ反応フラスコに、シトラール１ｇ（６．５７ｍｍｏｌ、試薬中のネラール・ゲラニアール比は１：１）、酢酸パラジウム５．８ｍｇ（０．４ｍｏｌ％）、（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔ  ３６ｍｇ（２ｍｏｌ％）、トルエン２ｍｌを入れて攪拌し、水素雰囲気とした。室温にて２１時間攪拌した後、ガスクロマトグラフィ−で分析したところ、シトラールからシトロネラールへの転化率は５１．０％で、得られたシトロネラールはｌ体であり、その光学純度は２７．１％ｅ．ｅ．であった。【０１８２】
（実施例３−２）
１０ｍｌ反応フラスコに、シトラール１ｇ（６．５７ｍｍｏｌ、試薬中のネラール・ゲラニアール比は１：１）、酢酸パラジウム５．８ｍｇ（０．４ｍｏｌ％）、（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔ  ３６ｍｇ（２ｍｏｌ％）、ＴＨＦ２ｍｌを入れて攪拌し、水素雰囲気とした。室温にて２１時間攪拌した後、ガスクロマトグラフィ−で分析したところ、シトラールからシトロネラールへの転化率は５８．５％で、得られたシトロネラールはｌ体であり、その光学純度は３４．８％ｅ．ｅ．であった。【０１８３】
（実施例３−３）
１０ｍｌ反応フラスコに、シトラール１ｇ（６．５７ｍｍｏｌ、試薬中のネラール・ゲラニアール比は１：１）、Ｒ−ＢＩＮＡＰ１６．４ｍｇ（０．４ｍｏｌ％）、酢酸パラジウム５．８ｍｇ（０．４ｍｏｌ％）、（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔ  ３６ｍｇ（２ｍｏｌ％）、ＴＨＦ２ｍｌを入れて攪拌し、水素雰囲気とした。室温にて２１時間攪拌した後、ガスクロマトグラフィ−で分析したところ、シトラールからシトロネラールへの転化率は１０．０％で、得られたシトロネラールはｌ体であり、その光学純度は２９．５％ｅ．ｅ．であった。【０１８４】
（実施例３−４）
１０ｍｌ反応フラスコに、シトラール１ｇ（６．５７ｍｍｏｌ、試薬中のネラール・ゲラニアール比は１：１）、酢酸パラジウム５．８ｍｇ（０．４ｍｏｌ％）、（Ｌ）−２−（Ｄｉｐｈｅｎｙｌａｍｉｄｏ）ｐｙｒｒｏｌｉｄｉｎｅ  ２５ｍｇ（２ｍｏｌ％）、トリフルオロ酢酸１５ｍｇ（２ｍｏｌ％）、トルエン２ｍｌを入れて攪拌し、水素雰囲気とした。室温にて２１時間攪拌した後、ガスクロマトグラフィ−で分析したところ、シトラールからシトロネラールへの転化率は４１．９％で、得られたシトロネラールはｌ体であり、その光学純度は３．０％ｅ．ｅ．であった。【０１８５】
（実施例４−１〜４−４）
遷移金属錯体として下記Ｗｉｌｌｋｉｎｓｏｎ錯体、ペンタメチルシクロペンタジエニルイリジウムジクロリドダイマー又は三塩化イリジウムｎ水和物を、共触媒（光学活性環状含窒素化合物）として（Ｒ）−（＋）−２−（Ｄｉｐｈｅｎｙｌｍｅｔｈｙｌ）ｐｙｒｒｏｒｉｄｉｎｅを用いた例を以下に記す。【０１８６】
Ｗｉｌｌｋｉｎｓｏｎ錯体【０１８７】
【化４５】
2011108672.tif 000047
【０１８８】
ペンタメチルシクロペンタジエニルイリジウムジクロリドダイマー【０１８９】
【化４６】
2011108672.tif 000048
【０１９０】
（実施例４−１）
１０ｍｌ反応フラスコに、シトラール１ｇ（６．５７ｍｍｏｌ、試薬中のネラール・ゲラニアール比は１：１）、Ｗｉｌｌｋｉｎｓｏｎ錯体６２．８ｍｇ（１ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トリフルオロ酢酸１５ｍｇ（２ｍｏｌ％）、エタノール２ｍｌを入れて攪拌し、水素雰囲気とした。室温にて２１時間攪拌した後、ガスクロマトグラフィ−で分析したところ、シトラールからシトロネラールへの転化率は２８．７％で、得られたシトロネラールはｄ体であり、その光学純度は５．０％ｅ．ｅ．であった。【０１９１】
（実施例４−２）
１０ｍｌ反応フラスコに、シトラール１ｇ（６．５７ｍｍｏｌ、試薬中のネラール・ゲラニアール比は１：１）、Ｗｉｌｌｋｉｎｓｏｎ錯体６２．８ｍｇ（１ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、エタノール２ｍｌを入れて攪拌し、水素雰囲気とした。室温にて２１時間攪拌した後、ガスクロマトグラフィ−で分析したところ、シトラールからシトロネラールへの転化率は６５．７％で、得られたシトロネラールはｄ体であり、その光学純度は１．５％ｅ．ｅ．であった。【０１９２】
（実施例４−３）
１０ｍｌ反応フラスコに、シトラール１ｇ（６．５７ｍｍｏｌ、試薬中のネラール・ゲラニアール比は１：１）、三塩化イリジウムｎ水和物１９．５ｍｇ（２ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トリフルオロ酢酸１５ｍｇ（２ｍｏｌ％）、ＴＨＦ２ｍｌを入れて攪拌し、水素雰囲気とした。室温にて２１時間攪拌した後、ガスクロマトグラフィ−で分析したところ、シトラールからシトロネラールへの転化率は９．０２％で、得られたシトロネラールはｄ体であり、その光学純度は２０．８％ｅ．ｅ．であった。【０１９３】
（実施例４−４）
１０ｍｌ反応フラスコに、シトラール１ｇ（６．５７ｍｍｏｌ、試薬中のネラール・ゲラニアール比は１：１）、ペンタメチルシクロペンタジエニルイリジウムジクロリドダイマー１９．６ｍｇ（１ｍｏｌ％）、（Ｒ）−（＋）−２−（Ｄｉｐｈｅｎｙｌｍｅｔｈｙｌ）ｐｙｒｒｏｒｉｄｉｎｅ  ３１ｍｇ（２ｍｏｌ％）、トリフルオロ酢酸１５ｍｇ（２ｍｏｌ％）、ＴＨＦ２ｍｌを入れて攪拌し、水素雰囲気とした。室温にて２１時間攪拌した後、ガスクロマトグラフィ−で分析したところ、シトラールからシトロネラールへの転化率は１１．２％で、得られたシトロネラールはｄ体であり、その光学純度は３．９％ｅ．ｅ．であった。【０１９４】
（実施例５−１〜５−３）
遷移金属錯体としてヘキサロジウムヘキサデカカルボニル錯体を、配位子として（＋）−２，３−Ｏ−Ｉｓｏｐｒｏｐｙｌｉｄｅｎｅ−２，３−ｄｉｈｙｄｒｏｘｙ−１，４−ｂｉｓ（ｄｉｐｈｅｎｙｌｐｈｏｓｐｈｉｎｏ）ｂｕｔａｎｅ（以下（＋）−ＤＩＯＰ）を、共触媒（光学活性環状含窒素化合物）として（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔを用いた例を以下に記す。【０１９５】
（＋）−ＤＩＯＰ【０１９６】
【化４７】
2011108672.tif 000049
【０１９７】
（実施例５−１）
１０ｍｌ反応フラスコに、ゲラニアール５５０ｍｇ（３．６ｍｍｏｌ）、ヘキサロジウムヘキサデカカルボニル錯体５．４ｍｇ（０．８３ｍｏｌ％）、（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔ  １９．５ｍｇ（２ｍｏｌ％）、（＋）−ＤＩＯＰ  ３７．６ｍｇ（２．１ｍｏｌ％）、トルエン２ｍｌを入れて攪拌し、水素雰囲気とした。室温にて２１時間攪拌した後、ガスクロマトグラフィ−で分析したところ、ゲラニアールからシトロネラールへの転化率は２９．８％で、得られたシトロネラールはｄ体であり、その光学純度は４．５％ｅ．ｅ．であった。【０１９８】
（実施例５−２）
１０ｍｌ反応フラスコに、ネラール５５０ｍｇ（３．６ｍｍｏｌ）、ヘキサロジウムヘキサデカカルボニル錯体５．４ｍｇ（０．８３ｍｏｌ％）、（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔ  １９．５ｍｇ（２ｍｏｌ％）、（＋）−ＤＩＯＰ  ３７．６ｍｇ（２．１ｍｏｌ％）、トルエン２ｍｌを入れて攪拌し、水素雰囲気とした。室温にて２１時間攪拌した後、ガスクロマトグラフィ−で分析したところ、ネラールからシトロネラールへの転化率は３２．６％で、得られたシトロネラールはｄ体であり、その光学純度は４．３％ｅ．ｅ．であった。【０１９９】
（実施例５−３）
１０ｍｌ反応フラスコに、シトラール５５０ｍｇ（３．６ｍｍｏｌ、試薬中のネラール・ゲラニアール比は１：１）、ヘキサロジウムヘキサデカカルボニル錯体５．４ｍｇ（０．８３ｍｏｌ％）、（Ｓ）−（＋）−２−（ｔｅｒｔ−Ｂｕｔｙｌ）−３−ｍｅｔｈｙｌ−４−ｉｍｉｄａｚｏｌｉｄｉｎｏｎｅ  ｔｒｉｆｌｕｏｒｏａｃｅｔｉｃａｃｉｄ  ｓａｌｔ  １９．５ｍｇ（２ｍｏｌ％）、（＋）−ＤＩＯＰ  ３７．６ｍｇ（２．１ｍｏｌ％）、トルエン２ｍｌを入れて攪拌し、水素雰囲気とした。室温にて２１時間攪拌した後、ガスクロマトグラフィ−で分析したところ、シトラールからシトロネラールへの転化率は３４．９％で、得られたシトロネラールはｄ体であり、その光学純度は４．８％ｅ．ｅ．であった。【０２００】
（比較例１−１〜１−２）
遷移金属錯体としてヘキサロジウムヘキサデカカルボニル錯体を、配位子として（＋）−２，３−Ｏ−Ｉｓｏｐｒｏｐｙｌｉｄｅｎｅ−２，３−ｄｉｈｙｄｒｏｘｙ−１，４−ｂｉｓ（ｄｉｐｈｅｎｙｌｐｈｏｓｐｈｉｎｏ）ｂｕｔａｎｅ（以下（＋）−ＤＩＯＰ）とし、共触媒（光学活性環状含窒素化合物）を使用せずに反応を行った例を以下に記す。【０２０１】
（比較例１−１）
１０ｍｌ反応フラスコに、ゲラニアール５５０ｍｇ（３．６ｍｍｏｌ）、ヘキサロジウムヘキサデカカルボニル錯体５．４ｍｇ（０．８３ｍｏｌ％）、（＋）−ＤＩＯＰ  ３７．６ｍｇ（２．１ｍｏｌ％）、トルエン２ｍｌを入れて攪拌し、水素雰囲気とした。室温にて２１時間攪拌した後、ガスクロマトグラフィ−で分析したところ、ゲラニアールからシトロネラールへの転化率は９５．５％で、得られたシトロネラールはｌ体であり、その光学純度は４８．６％ｅ．ｅ．であった。【０２０２】
（比較例１−２）
１０ｍｌ反応フラスコに、ネラール５５０ｍｇ（３．６ｍｍｏｌ）、ヘキサロジウムヘキサデカカルボニル錯体５．４ｍｇ（０．８３ｍｏｌ％）、（＋）−ＤＩＯＰ  ３７．６ｍｇ（２．１ｍｏｌ％）、トルエン２ｍｌを入れて攪拌し、水素雰囲気とした。室温にて２１時間攪拌した後、ガスクロマトグラフィ−で分析したところ、ネラールからシトロネラールへの転化率は９７．１％で、得られたシトロネラールはｄ体であり、その光学純度は４７．１％ｅ．ｅ．であった。【０２０３】
比較例１−１〜１−２より明らかなように、共触媒（光学活性環状含窒素化合物）を使用せずに反応を行なうと、原料基質のＺ配置、Ｅ配置により、得られる生成物の立体配置が依存されることが明らかである。【０２０４】
本発明を詳細にまた特定の実施態様を参照して説明したが、本発明の精神と範囲を逸脱することなく様々な変更や修正を加えることができることは当業者にとって明らかである。本出願は２０１０年３月４日出願の日本特許出願（特願２０１０−０４７７４１）に基づくものであり、その内容はここに参照として取り込まれる。
【産業上の利用可能性】
【０２０５】
本発明において用いられる不斉水素化用触媒は、特定の金属錯体、光学活性環状含窒素化合物または、特定の金属錯体、光学活性環状含窒素化合物、及び酸を単に混合するだけで、基質であるα、β−不飽和カルボニル化合物の炭素−炭素二重結合を選択的にかつ簡便に不斉水素化し、光学活性α、β−カルボニル化合物を製造することができる。特に、シトラール（ゲラニアールとネラールとの混合物）、ゲラニアール、又はネラールのα、β−炭素−炭素二重結合を選択的に不斉水素化することにより、光学活性シトロネラールを得ることができる。光学活性シトロネラールはそれ自体が香料として有用であるばかりでなく、光学活性シトロネロール、光学活性イソプレゴール、光学活性メントールの重要な原料である。
【図１】
2011108672.tif 000057
【図２】
2011108672.tif 000058
【図３】
2011108672.tif 000059
【図４】
2011108672.tif 000060
【図５】
2011108672.tif 000061
【図６】
2011108672.tif 000062
【図７】
2011108672.tif 000063
【図８】
2011108672.tif 000064